(57)【特許請求の範囲】
【請求項１】
ｋビットの第１伝送形式組み合わせ表示(ＴＦＣＩ)ビット及び(１０−ｋ)ビットの第２ＴＦＣＩビットを符号化する移動通信システムの送信装置で、全部で３２個の第１ＴＦＣＩ符号化シンボル及び第２ＴＦＣＩ符号化シンボルをラジオフレームにマッピングする方法において、
前記ラジオフレームの伝送モード及び伝送率によって前記第１ＴＦＣＩ符号化シンボル及び第２ＴＦＣＩ符号化シンボルが均等の間隔で分布されるように多重化して３２個の符号化シンボルを出力する過程と、
前記ラジオフレームの伝送モード及び伝送率によって決定される１つのラジオフレームにマッピングできる符号化シンボルの数を満足するように前記 多重化した３２個の符号化シンボルを前記ラジオフレームにマッピングする過程と、
を含むことを特徴とする方法。
【請求項２】
前記第１ＴＦＣＩ符号化シンボルは下記の数式によって計算される位置で多重化されることを特徴とする請求項１記載の方法。
【数１】
0003730195.tif 000011
ここで、ｎは、前記第１ＴＦＣＩ符号化シンボルの総数であり、ｉは、前記第１ＴＦＣＩ符号化シンボルのうち任意の符号化シンボルを示すインデックスである。
【請求項３】
前記第２ＴＦＣＩ符号化シンボルは下記の数式によって計算される位置で多重化されることを特徴とする請求項１記載の方法。
【数２】
0003730195.tif 000012
ここで、ｎは、前記第１ＴＦＣＩ符号化シンボルの総数であり、ｍは、前記第２ＴＦＣＩ符号化シンボルの総数であり、ｉは、前記第１ＴＦＣＩ符号化シンボルのうち任意の符号化シンボルを示すインデックスである。
【請求項４】
前記１つのラジオフレームにマッピングできる符号化シンボルの数が３０である場合、前記第１ＴＦＣＩ符号化シンボルのうち任意の１つ及び前記第２ＴＦＣＩ符号化シンボルのうち任意の１つを除いた３０個の符号化シンボルを前記ラジオフレームにマッピングすることを特徴とする請求項１記載の方法。
【請求項５】
前記第１ＴＦＣＩ符号化シンボルのうち任意の１つは、前記第１ＴＦＣＩ符号化シンボルの最後の符号化シンボルであり、前記第２ＴＦＣＩ符号化シンボルの任意の１つは、前記第２ＴＦＣＩシンボルの最後の符号化シンボルであることを特徴とする請求項４記載の方法。
【請求項６】
前記１つのラジオフレームにマッピングできる符号化ンボルの数が３０である場合、前記符合化した第１ＴＦＣＩシンボルのうち任意の２つの符号化シンボルまたは前記第２ＴＦＣＩ符号化シンボルのうち任意の２つの符号化シンボルを除いた３０個の符号化シンボルを前記ラジオフレームにマッピングすることを特徴とする請求項１記載の方法。
【請求項７】
前記１つのラジオフレームにマッピングできる符号化シンボルの数が１２０である場合、前記多重化した３２個の符号化シンボルを３回繰り返し、前記多重化した３２個の符号化シンボルのうち最初の２４個の符号化シンボルをさらに繰り返して前記ラジオフレームにマッピングすることを特徴とする請求項１記載の方法。
【請求項８】
前記１つのラジオフレームにマッピングできる符号化シンボルの数が３２である場合、前記多重化した３２個の符号化シンボルを前記ラジオフレームにマッピングすることを特徴とする請求項１記載の方法。
【請求項９】
前記１つのラジオフレームにマッピングできる符号化シンボルの数が１２８である場合、前記多重化した３２個の符号化シンボルを４回繰り返して前記ラジオフレームにマッピングすることを特徴とする請求項１記載の方法。
【請求項１０】
移動通信システムの送信装置で、第１伝送形式組み合わせ表示(ＴＦＣＩ)ビット及び第２ＴＦＣＩビットをラジオフレームを通して伝送する装置において、
ｋビットの第１ＴＦＣＩビットを第１符号率で符号化して(３ｋ＋１)個の第１ＴＦＣＩ符号化シンボルを出力し、(１０−ｋ)ビットの第２ＴＦＣＩビットを第２符号率で符号化して(３１−３ｋ)個の第２ＴＦＣＩシンボルを出力する少なくとも１つの符号器と、
前記ラジオフレームの伝送モード及び伝送率によって前記第１ＴＦＣＩ符号化シンボル及び第２ＴＦＣＩシンボルが均等の間隔で分布されるように多重化し、１つのラジオフレームを通して伝送できる符号化シンボルの数によって前記多重化した符号化シンボルを出力する符号化シンボル配置器と、
を含むことを特徴とする装置。
【請求項１１】
前記第１ＴＦＣＩビット及び前記第２ＴＦＣＩビットを前記ｋ値によって選別し、前記選別されたＴＦＣＩビットを前記符号器に提供する選別出力器をさらに備えることを特徴とする請求項１０記載の装置。
【請求項１２】
前記符号化シンボル配置器は、前記第１ＴＦＣＩ符号化シンボルが下記数式によって決定された位置で出力されるように前記符号化シンボルを多重化することを特徴とする請求項１０記載の装置。
【数３】
0003730195.tif 000013
ここで、ｎは、前記第１ＴＦＣＩ符号化シンボルの総数であり、ｉは、前記第１ＴＦＣＩ符号化シンボルのうち任意の符号化シンボルを示すインデックスである。
【請求項１３】
前記符号化シンボル配置器は、前記第２ＴＦＣＩ符号化シンボルが下記の数式によって決定された位置で出力されるように前記符号化シンボルを多重化することを特徴とする請求項１０記載の装置。
【数４】
0003730195.tif 000014
ここで、ｎは、前記第１ＴＦＣＩ符号化シンボルの総数であり、ｍは、前記第２ＴＦＣＩ符号化シンボルの総数であり、ｉは、前記第１ＴＦＣＩ符号化シンボルのうち任意の符号化シンボルを示すインデックスである。
【請求項１４】
移動通信システムの送信装置で、第１伝送形式組み合わせ表示(ＴＦＣＩ)ビット及び第２ＴＦＣＩビットをラジオフレームを通して伝送する方法において、
ｋビットの第１ＴＦＣＩビットを第１符号率で符号化して(３ｋ＋１)個の第１ＴＦＣＩシンボルを出力する過程と、
(１０−ｋ)ビットの第２ＴＦＣＩビットを第２符号率で符号化した(３１−３ｋ)個の第２ＴＦＣＩシンボルを出力する過程と、
前記ラジオフレームの伝送モード及び伝送率によって前記符号化した１ＴＦＣＩシンボル及び前記第２ＴＦＣＩ符号化シンボルが均等の間隔で分布されるように、前記符号化した１ＴＦＣＩシンボル及び第２ＴＦＣＩシンボルＴＦＣＩを多重化する過程と、
１つのラジオフレームを通して伝送できる符号化シンボルの数によって前記多重化した符号化シンボルを出力する過程と、
を含むことを特徴とする方法。
【請求項１５】
前記第１ＴＦＣＩ符号化シンボルが下記の数式によって決定された位置で出力されることを特徴とする請求項１４記載の方法。
【数５】
0003730195.tif 000015
ここで、ｎは、前記第１ＴＦＣＩ符号化シンボルの総数であり、ｉは、前記第１ＴＦＣＩ符号化シンボルのうち任意の符号化シンボルを示すインデックスである。
【請求項１６】
前記第２ＴＦＣＩ符号化シンボルは下記の数式によって決定された位置で出力されることを特徴とする請求項１４記載の方法。
【数６】
0003730195.tif 000016
ここで、ｎは、前記第１ＴＦＣＩ符号化シンボルの総数であり、ｍは、前記第２ＴＦＣＩ符号化シンボルの総数であり、ｉは、前記第１ＴＦＣＩ符号化シンボルのうち任意の符号化シンボルを示すインデックスである。
【発明の詳細な説明】
【０００１】
【発明の属する技術分野】
本発明は、符号分割多重接続移動通信システムにおいて硬分割モードのための伝送装置及び方法に関し、特に、伝送形式組み合わせ表示(Transport Format Combination Indicator： 以下、ＴＦＣＩと称する)ビットを伝送するためのマッピング装置及び方法に関する。
【０００２】
【従来の技術】
通常、ダウンリンク共有チャネル(Downlink Shared Channel： 以下、ＤＳＣＨと称する)は、複数の使用者が時間を分割して使用する共有チャネルである。前記ＤＳＣＨは、各使用者に対して専用チャネル(Dedicated Channel: 以下、ＤＣＨと称する)とともに設定される。前記ＤＣＨは、ＤＰＣＨ(Dedicated Physical Channel : 以下、ＤＰＣＨと称する)を通して伝送され、前記ＤＰＣＨは、専用物理制御チャネル(Dedicated Physical Control Channel: 以下、ＤＰＣＣＨと称する)及び専用物理データチャネル(Dedicated Physical Data Channel: 以下、ＤＰＤＣＨと称する)を時分割(Time Division)単位で結合した形態で構成される。
【０００３】
前記ＤＳＣＨは、物理ダウンリンク共有チャネル(Physical Downlink Shared Channel: 以下、ＰＤＳＣＨと称する)を通して伝送され、前記ＰＤＳＣＨのためのチャネル制御情報は、前記ＤＰＣＨのうちのＤＰＣＣＨを通して伝送される。前記ＤＰＣＣＨを通して伝送される制御情報は、(1)ＵＥ(User Equipment)からのアップリンク送信電力を制御する電力制御命令語(Transmitted Power Control command: 以下、ＴＰＣと称する)、(2)ノードＢ(node B)からＵＥへのチャネル変化の推定、送信電力の測定、及びスロット同期の獲得のために使用されるパイロットフィールド(Pilot Field)、及び(3)ＴＦＣＩに対する情報を含む。前記情報のうち、前記ＴＰＣ及び前記パイロット(Pilot)は、前記ＰＤＳＣＨ及び前記ＤＰＣＨのための物理制御情報として使用され、前記ＴＦＣＩは、前記ＤＳＣＨ及び前記ＤＰＤＣＨを通して伝送されるデータの情報特性(例えば、情報伝送速度、相違する情報の組み合わせ、つまり、音声情報及びパケット情報の組み合わせ)を示すために使用される。
【０００４】
前述したように、前記ＴＦＣＩは、前記物理チャネル(ＤＳＣＨ及びＤＰＤＣＨ)を通して伝送されるデータの情報特性を示す制御情報であり、１０ビットの長さを有し、３２ビットに符号化される。つまり、データ量に関する情報は、１０ビットで表現され、前記１０ビットの情報は、前記物理チャネルを通して伝送される時に３２ビットに符号化される。
【０００５】
前記ＴＦＣＩは、非同期移動通信方式(ＵＭＴＳ)の標準である３ＧＰＰ(3rd Generation Partnership Project)技術仕様２５．２１２に記述されている下記の方法によって、前記物理チャネルを通して伝送される。
前記ＴＦＣＩが物理チャネルを通して伝送される方法を説明するために、下記の用語を定義する。
ａｋ＝伝送組み合わせ情報のｋ番目の情報ビット(information bit)(0≦k≦9)
ｂｌ＝伝送組み合わせ情報のｉ番目の符号化ビット(coded bit)(0≦l≦31)
ｄｍ＝伝送組み合わせ情報のｍ番目の伝送符号化ビット(transmitted coded bit)
【０００６】
前記ａｋは、前記ＤＰＤＣＨを通して伝送されるデータの伝送率、データの種類、及び組み合わせを示す１０ビットの情報であり、前記ｂｌは、前記ａｋを符号化することによって得られた３２符号化ビットからなり、前記ｄｍは、前記ｂｌが前記ＤＰＣＣＨを通して伝送される伝送符号化ビットである。ここで、前記ｍ値は、条件によって可変的である。
【０００７】
ｄｍビットの数が決定される条件は、前記ＤＰＣＣＨの伝送モード及び前記ＤＰＣＨの伝送率によって決定される。前記ＤＰＣＣＨの伝送モードには、正常伝送モード(normal transmission mode)及び圧縮伝送モード(compressed transmission mode)がある。前記圧縮伝送モードは、１つのＲＦ送受信器を有するＵＥが他の周波数帯域で測定をしようとする時に使用される。前記圧縮伝送モードの動作は、現在周波数帯域で伝送を一時的に停止して、ＵＥが他の周波数帯域で測定することを可能にする。前記伝送休止期間で伝送されるデータは、伝送休止期間の直前及び直後に圧縮される。
【０００８】
前記ｄｍの数を決定する条件のうち１つである“ＤＰＣＨの伝送率”は、前記ＤＰＣＨの物理伝送率を称し、データの拡散率(Spreading Factor: 以下、ＳＦと称する)によって決定される。前記ＳＦの範囲は、４から５１２までであり、前記伝送率は、１５Ｋｂｐｓから１９２０Ｋｂｐｓまでである。前記ＳＦが大きくなるほど、データ伝送率は小さくなる。前記ＤＰＣＨの伝送率によってｄｍの数が決定される理由は、前記ＤＰＣＨの伝送率によって前記ＤＰＣＣＨのＴＦＣＩビットが伝送されるＴＦＣＩフィールドのサイズ(または、長さ)が変化するからである。
ｄｍの決定条件のそれぞれに対して伝送されるｄｍの数は、下記のようである。
【０００９】
Ａ１．正常伝送モードで、ＤＰＣＨの伝送率が６０Ｋｂｐｓより小さい場合
前記ｄｍの数を決定する条件Ａ１において、前記ｄｍの数は３０になる。前記３ＧＰＰ標準において、前記物理チャネルの基本伝送単位は、ラジオフレーム(radio frame)である。前記ラジオフレームは、１０ｍｓの長さを有し、１５個のタイムスロット(time slot)から構成される。各タイムスロットは、ＴＦＣＩを伝送するフィールドを有する。前記条件Ａ１において、各タイムスロットが２つのＴＦＣＩ伝送フィールドを有するので、１つのラジオフレームの間に伝送できるＴＦＣＩ伝送符号ビットｄｍの数は３０になる。従って、前記情報ビットａｋによる符号化ビットｂｌの数が３２になっても、実際伝送されるＴＦＣＩフィールドの数の制限によって最後の２つ伝送組み合わせ情報ビットｂ３０及びｄ３１は伝送されない。
【００１０】
Ａ２．正常伝送モードで、ＤＰＣＨの伝送率が６０Ｋｂｐｓより大きい場合
前記ｄｍの数を決定する条件Ａ２において、前記タイムスロット内のＴＦＣＩフィールドの長さは８ビットであり、１つのラジオフレームの間に前記ＤＰＣＣＨを通して伝送できるｄｍの総数は１２０である。前記ｄｍの総数が１２０である場合、ｂｌは下記のように繰り返して伝送される。
d0(b0), ・・・, d31(b31), d32(b0), ・・・, d63(b31), ・・・, d96(b0), ・・・, d119(b23)
条件Ａ２において、０番目乃至２３番目のｂｌビットは４回繰り返され、２４番目乃至３１番目のｂｌビットは３回繰り返して伝送される。
【００１１】
Ａ３．圧縮伝送モードで、ＤＰＣＨの伝送率が６０Ｋｂｐｓより小さいか、それとも１２０Ｋｂｐｓである場合
前記ｄｍビットの数を決定する条件Ａ３において、前記タイムスロット内のＴＦＣＩフィールドの長さが４ビットであり、圧縮伝送モードにおいて使用されるタイムスロットの数によって１つのラジオフレームに対して伝送できるＴＦＣＩの数は変化する。前記圧縮伝送モードにおいて、伝送休止のタイムスロットの数は、最小１から最大７まで範囲を有し、ｄｍビットの数は、３２乃至５６である。前記伝送符号化ビットｄｍの数を最大３２に制限することによって、前記変化されるｄｍで０番目乃至３１番目の全てのｂｌビットが伝送され、前記他のｄｍでは前記ｂｌビットが伝送されないようになる。
【００１２】
Ａ４．圧縮伝送モードで、ＤＰＣＨの伝送率が１２０Ｋｂｐｓより大きいか、それとも６０Ｋｂｐｓである場合
前記ｄｍビットの数を決定する条件Ａ４において、前記タイムスロットにおけるＴＦＣＩフィールドの長さは１６ビットであり、圧縮伝送モードにおいて使用されるタイムスロットの数によって１つのラジオフレームに伝送できるＴＦＣＩの数は変化する。前記圧縮伝送モードにおいて、伝送休止のタイムスロットの数は、最小１から最大７までの範囲を有し、ｄｍビットの数は、１２８から２４４までの範囲を有する。伝送される符号化ビットｄｍの数を最大１２８制限することによって、前記変化されるｄｍで０番目乃至３１番目のｂｌビットが４回繰り返して伝送され、その他のｄｍではｂｌビットが伝送されないようになる。
前記条件Ａ３及びＡ４の圧縮伝送モードにおいて、伝送休止期間から最大に離れた区間に前記ｄｍを配置して前記ｄｍの伝送の信頼度が最大になるようにする。
前記条件Ａ１、Ａ２、Ａ３、及びＡ４は、前記ＴＦＣＩが前記ＤＰＣＨのデータ伝送組み合わせ及び種類を示す場合に使用される。前記ＴＦＣＩをＤＳＣＨのためのＴＦＣＩとＤＰＣＨのためのＴＦＣＩに分けて伝送する方法は、２つの方法に分けられる。
【００１３】
第１方法は、硬分割モード(Hard Split Mode: 以下、ＨＳＭと称する)に対する方法であり、第２方法は、論理分割モード(Logical Split Mode: 以下、ＬＳＭと称する)に対する方法である。
【００１４】
前記ＤＣＨのためのＴＦＣＩは、ＴＦＣＩ(field 1)または第１ＴＦＣＩと称し、前記ＤＳＣＨのためのＴＦＣＩは、ＴＦＣＩ(field 2)または第２ＴＦＣＩと称する。
【００１５】
前記ＬＳＭ方法において、前記ＴＦＣＩ(field 1)及び前記ＴＦＣＩ(field 2)を１つのＴＦＣＩとして(３２，１０)リードマラーコード(sub-code second order Reed Muller Code)で符号化する。前記ＴＦＣＩ(field 1)及び前記ＴＦＣＩ(field 2)は、１０ビットのＴＦＣＩ情報を多様な比率で表現し、１０情報ビットを前記Ａ１、Ａ２、Ａ３、及びＡ４によって１つのブロックコード(block code)、つまり、(３２，１０)リードマラーコード(sub-code second order Reed Muller Code)で符号化して伝送する。前記ＴＦＣＩ(field 1)と前記ＴＦＣＩ(field 2)の比率は、１：９、２：８、３：７、４：６、５：５、６：４、７：３、８：２、９：１を含む。前記第１ＴＦＣＩ情報ビット及び前記第２ＴＦＣＩ情報ビットの和は、１０より小さくなる可能性がある。前記ＬＳＭ方法において、前記第１ＴＦＣＩ情報ビット及び前記第２ＴＦＣＩ情報ビットの和が１０より小さい場合、不足なビットの分だけの０を挿入する。結果として、前記第１ＴＦＣＩ情報ビット及び前記第２ＴＦＣＩ情報ビットを(３２，１０)リードマラーコードで符号化して伝送することができる。
【００１６】
前記ＨＳＭ方法において、前記ＴＦＣＩ(field 1)及び前記ＴＦＣＩ(field 2)は、それぞれ５ビットずつ表現され、それぞれの情報が(１６，５)２重直交符号(Bi-Orthogonal code)を利用して出力された後、前記ＴＦＣＩ(field 1)及び前記ＴＦＣＩ(field 2)に対する１６ビットが前記条件Ａ１、Ａ２、Ａ３、及びＡ４によって交互に伝送される。前記第１ＴＦＣＩ情報ビット及び前記第２ＴＦＣＩ情報ビットの最大数がそれぞれ５に限定されている場合、前記第１ＴＦＣＩ情報ビットまたは前記第２ＴＦＣＩ情報ビットの数が５を超えると、前記ＨＳＭ方法を使用することができない。従って、前記第１ＴＦＣＩ情報ビットまたは前記第２ＴＦＣＩ情報ビットの数が５の未満であると、空きのビットの分だけの０を挿入して(１６，５)２重直交符号を使用して符号化される。
【００１７】
図１は、従来のＨＳＭ方法による送信器の構造を示す図である。図１を参照すると、(１６，５)２重直交符号器(Bi-Orthogonal encoder)１００は、５ビットのＤＣＨのためのＴＦＣＩ(field 1)を１６符号化シンボルに符号化し、前記１６符号化シンボルをマルチプレクサ(multiplexer)１１０に提供する。同時に、(１６，５)２重直交符号器１０５は、５ビットのＤＳＣＨのためのＴＦＣＩ(field 2)ビットを１６符号化シンボルに符号化し、前記１６符号化シンボルを前記マルチプレクサ１１０に提供する。次に、前記マルチプレクサ１００は、前記符号器１００からの１６符号化シンボル及び前記符号器１０５からの１６符号化シンボルを時間的に多重化し、３２シンボルを配列して出力する。マルチプレクサ１２０は、前記マルチプレクサ１１０から出力された３２シンボル及び他の信号を時間的に多重化して拡散器１３０に提供する。前記拡散器１３０は、拡散符号生成器１３５から提供された拡散符号で前記マルチプレクサ１２０の出力信号を拡散する。スクランブラー(scrambler)１４０は、スクランブリング符号生成器１４５から提供されたスクランブリング符号で前記拡散された信号をスクランブリングする。
【００１８】
前記ＬＳＭ方法において、ＵＥがソフトハンドオーバー地域に位置する場合、下記の理由によって使用上の制約が発生する。説明の便宜のために、３ＧＰＰの無線伝送ネットワークに関して簡略に説明すると、無線接続ネットワーク(Radio Access Network: 以下、ＲＡＮと称する)は、無線ネットワーク制御器(Radio Network controller: 以下、ＲＮＣと称する)、前記ＲＮＣによって制御されるノードＢ、及び加入者装置(User Equipment: 以下、ＵＥと称する)から構成される。前記ＲＮＣは、前記ノードＢを制御し、前記ノードＢは、基地局の役割をし、前記ＵＥは、端末機の役割をする。前記ＲＮＣは、前記ＵＥとの関係によってサービング無線ネットワーク制御器(Serving Radio Network Controller: 以下、ＳＲＮＣと称する)と制御無線ネットワーク制御器(Control Radio Network Controller: 以下、ＣＲＮＣと称する)に分けられる。前記ＳＲＮＣは、前記ＵＥが登録されているＲＮＣであり、前記ＵＥに伝送されるデータ及び前記ＵＥから受信されるデータを処理し、前記ＵＥを制御する。前記ＣＲＮＣは、前記ＵＥが現在連結されているＲＮＣであり、前記ＵＥを前記ＳＲＮＣに連結する。
【００１９】
前記ＵＥと通信するノードＢが相違するＲＮＣに属する場合、ＤＳＣＨを伝送しないノードＢは、前記ＤＳＣＨのためのＴＦＣＩ符号化ビットの値を認知することができないので、前記ＵＥにＴＦＣＩ符号化ビットを正しく伝送することができない。
【００２０】
前述したＨＳＭにおいて、前記ＤＳＣＨのためのＴＦＣＩ情報ビット及び前記ＤＣＨのためのＴＦＣＩ情報ビットが独立的に符号化されるので、前記ＵＥが前記ＴＦＣＩを受信して復号することに問題ない。しかしながら、現在の３ＧＰＰのＨＳＭにおいて、前記ＤＣＨのためのＴＦＣＩの数及び前記ＤＳＣＨのためのＴＦＣＩビットの数は、それぞれ５ビットに固定されて３２個の情報ビットを表現するので、前記ＤＣＨのためのＴＦＣＩビットまたは前記ＤＳＣＨのためのＴＦＣＩビットがさらに必要である場合、前記ＨＳＭを使用することができない。
【００２１】
【発明が解決しようとする課題】
前述した問題点を解決するための本発明の目的は、符号分割多重接続移動通信システムにおいてＴＦＣＩビットを送受信するための装置及び方法を提供することにある。
本発明の他の目的は、符号分割多重接続移動通信システムにおいてＴＦＣＩ符号化シンボルを物理チャネルにマッピングするための装置及び方法を提供することにある。
本発明のまた他の目的は、符号分割多重接続移動通信システムにおいて所定の比率で分けられるＤＣＨのためのＴＦＣＩ符号化シンボル及びＤＳＣＨのためのＴＦＣＩ符号化シンボルを物理チャネルにマッピングする装置及び方法を提供することにある。
本発明のまた他の目的は、符号分割多重接続移動通信システムにおいて物理チャネルにマッピングされて伝送されるＴＦＣＩ符号化シンボルを受信する装置及び方法を提供することにある。
本発明のまた他の目的は、符号分割多重接続移動通信システムにおいて物理チャネルにマッピングされて伝送される、所定の比率で分けられるＤＣＨのためのＴＦＣＩ符号化シンボル及びＤＳＣＨのためのＴＦＣＩ符号化シンボルシンボルを受信する装置及び方法を提供することにある。
【００２２】
【課題を解決するための手段】
前記のような目的を達成するための本発明の第１特徴によると、ｋビットの第１ＴＦＣＩビット及び(１０−ｋ)ビットの第２ＴＦＣＩビットを符号化する移動通信システムの送信装置で、全部で３２個の第１ＴＦＣＩ符号化シンボル及び第２ＴＦＣＩ符号化シンボルをラジオフレームにマッピングする方法を提供する。前記方法は、前記ラジオフレームの伝送モード及び伝送率によって前記第１ＴＦＣＩ符号化シンボル及び第２ＴＦＣＩ符号化シンボルが均等の間隔で分布されるように多重化して３２個の符号化シンボルを出力する過程と、前記ラジオフレームの伝送モード及び伝送率によって決定される１つのラジオフレームにマッピングできる符号化シンボルの数を満足するように前記多重化した３２個の符号化シンボルを前記ラジオフレームにマッピングする過程と、からなる。
【００２３】
本発明の第２特徴によると、移動通信システムの送信装置で、第１ＴＦＣＩビット及び第２ＴＦＣＩビットをラジオフレームを通して伝送する装置を提供する。前記装置は、ｋビットの第１ＴＦＣＩビットを第１符号率で符号化して(３ｋ＋１)個の第１ＴＦＣＩ符号化シンボルを出力し、(１０−ｋ)ビットの第２ＴＦＣＩビットを第２符号率で符号化して(３１−３ｋ)個の第２ＴＦＣＩシンボルを出力する少なくとも１つの符号器と、前記ラジオフレームの伝送モード及び伝送率によって前記第１ＴＦＣＩ符号化シンボル及び第２ＴＦＣＩシンボルが均等の間隔で分布されるように多重化し、１つのラジオフレームを通して伝送できる符号化シンボルの数によって前記多重化した符号化シンボルを出力する符号化シンボル配置器と、から構成される。
【００２４】
本発明の第３特徴によると、移動通信システムの送信装置で、第１ＴＦＣＩビット及び第２ＴＦＣＩビットをラジオフレームを通して伝送する方法を提供する。前記方法は、ｋビットの第１ＴＦＣＩビットを第１符号率で符号化して(３ｋ＋１)個の第１ＴＦＣＩシンボルを出力する過程と、(１０−ｋ)ビットの第２ＴＦＣＩビットを第２符号率で符号化した(３１−３ｋ)個の第２ＴＦＣＩシンボルを出力する過程と、前記ラジオフレームの伝送モード及び伝送率によって前記符号化した１ＴＦＣＩシンボル及び前記第２ＴＦＣＩ符号化シンボルが均等の間隔で分布されるように、前記符号化した１ＴＦＣＩシンボル及び第２ＴＦＣＩシンボルＴＦＣＩを多重化する過程と、１つのラジオフレームを通して伝送できる符号化シンボルの数によって前記多重化した符号化シンボルを出力する過程と、からなる。
【００２５】
本発明の第４特徴によると、専用チャネル(ＤＣＨ)のための(３ｋ＋１)個の第１ＴＦＣＩシンボル及びダウンリンク共有チャネル(ＤＳＣＨ)のための(３１−３ｋ)個の第２ＴＦＣＩシンボルを受信する移動通信システムの受信装置で、ｋビットの第１ＴＦＣＩ及び(１０−ｋ)ビットの第２ＴＦＣＩを復号する装置を提供する。前記装置は、ｋ値によって専用物理制御チャネル(ＤＰＣＨ)を通して伝送される前記第１ＴＦＣＩ符号化シンボル及び前記第２ＴＦＣＩ符号化シンボルを分離して再配列する符号化シンボル再配置器と、前記第１ＴＦＣＩ符号化シンボルを復号して前記ｋビットの第１ＴＦＣＩを出力し、前記符号化した第２ＴＦＣＩを復号して(１０−ｋ)ビットの第２ＴＦＣＩビットを出力する少なくとも１つの復号器と、から構成される。
【００２６】
本発明の第５特徴によると、専用チャネル(ＤＣＨ)のための(３ｋ＋１)個の第１ＴＦＣＩシンボル及びダウンリンク共有チャネル(ＤＳＣＨ)のための(３１−３ｋ)個の第２ＴＦＣＩシンボルを受信する移動通信システムの受信装置で、ｋビットの第１ＴＦＣＩ及び(１０−ｋ)ビットの第２ＴＦＣＩを復号する方法を提供する。前記方法は、ｋ値によって専用物理制御チャネル(ＤＰＣＨ)を通して伝送される前記第１ＴＦＣＩ符号化シンボル及び前記第２ＴＦＣＩ符号化シンボルを分離して再配列する過程と、前記第１ＴＦＣＩ符号化シンボルを復号して前記ｋビットの第１ＴＦＣＩビットを出力する過程と、前記第２ＴＦＣＩ符号化シンボルを復号して(１０−ｋ)ビットの第２ＴＦＣＩビットを出力する過程と、からなる。
【００２７】
【発明の実施の形態】
以下、本発明に従う好適な実施形態について添付図を参照しつつ詳細に説明する。下記の説明において、本発明の要旨のみを明確にする目的で、関連した公知機能または構成に関する具体的な説明は省略する。
【００２８】
本発明は、ＨＳＭ方法において、総１０ビットの入力情報ビットを１：９、２：８、３：７、４：６、５：５、６：４、７：３、８：２、または９：１の比率でＤＣＨのための情報ビットとＤＳＣＨのための情報ビットに分け、前記ＤＣＨのための情報ビットと前記ＤＳＣＨのための情報ビットをそれぞれ符号化する装置及び方法を提供する。本発明は、第１ＴＦＣＩ情報ビットの数と第２ＴＦＣＩ情報ビットの数の和が１０より小さい場合、前記第１ＴＦＣＩ情報ビットまたは前記第２ＴＦＣＩ情報ビットの信頼度を高めて符号化する装置及び方法を提供する。さらに、前記第１ＴＦＣＩ情報ビット及び前記第２ＴＦＣＩ情報ビットの信頼度をともに高めて符号化する装置及び方法を提供する。
【００２９】
まず、前記第１ＴＦＣＩ情報ビットと前記第２ＴＦＣＩ情報ビットとの和が１０である場合に使用できる符号器に関して説明する。
１つのラジオフレームは、前記条件Ａ１、Ａ２、Ａ３、及びＡ４によってそれぞれ３０個、１２０個、３２個、及び１２８個のＴＦＣＩ符号化シンボルを伝送する。繰り返して伝送される場合を除くと、基本符号率は１０／３２であり、条件Ａ１の場合、前記物理チャネルの伝送制約のためで符号率が１０／３０になる。従って、前記ＤＳＣＨのためのＴＦＣＩ情報ビットと前記ＤＣＨのためのＴＦＣＩ情報ビットが１：９、２：８、３：７、４：６、５：５、６：４、７：３、８：２、または９：１の比率で分けられる場合、前述した比率で前記符号化シンボルを分けることによって符号率を一定に維持させることが自然である。前記符号率を一定維持することは、(３２，１０)の基本符号率を維持することを意味する。前記ＨＳＭにおいて、相違して符号化されるＤＳＣＨのためのＴＦＣＩ及びＤＣＨのためのＴＦＣＩの符号利得を維持する理由は、前記ＤＳＣＨのためのＴＦＣＩ及び前記ＤＣＨのためのＴＦＣＩがそれぞれ符号化されても、(３２，１０)の符号率を類似に維持することによって符号利得を一定に維持するためである。前記入力ビットの比率によって前記符号化ビットの数を一定に分ける例を、前記条件Ａ１を仮定して説明する。
【００３０】
前記条件Ａ１において、１０ビットの入力情報ビットが１：９の比率で分けられる場合、３０符号化出力シンボルは、３：２７に分けられ、１０ビットの入力情報ビットが２：８に分けられる場合、前記３０符号化出力シンボルは６:２４に分けられる。さらに、１０ビットの情報ビットが３：７に分けられる場合、前記３０符号化出力シンボルは９：２１に分けられ、１０ビットの入力情報ビットが４：６に分けられる場合、前記３０符号化出力シンボルは１２：１８に分けられる。しかしながら、条件Ａ２、Ａ３、及びＡ４においては、前記３２符号化シンボルが全て伝送されるか、それとも前記３２符号化シンボルが繰り返して伝送されるので、前記条件Ａ１のように前記符号化シンボルを正確に分けることができない。
【００３１】
従って、本発明の実施形態において、前記入力ビットに対応して定義される前記符号化シンボルの符号率を＜表１＞ように表現することができる。
【００３２】
【表１】
0003730195.tif 000002
【００３３】
＜表１＞において、入力ビットの比による符号率の決定基準は、下記のようである。本発明の実施形態は、前記条件Ａ１、Ａ２、Ａ３、及びＡ４のうちもっとも頻繁に使用されるケースであるＡ１の実質的な符号率(３０,１０)に最小の要求値を適用し、前記第１ＴＦＣＩの符号率及び前記第２ＴＦＣＩの符号率を最小１／３に設定することによって、前記符号化シンボルの和を３０に設定した後、残りの２つの符号化シンボルを前記第１ＴＦＣＩの符号化シンボル及び前記第２ＴＦＣＩの符号化シンボルにそれぞれ割り当てる。従って、本発明の実施形態は、前記第１ＴＦＣＩの符号率及び前記第２ＴＦＣＩの符号率をともに増加させるか、それとも前記残りの２つの符号化シンボルを前記第１ＴＦＣＩの符号化シンボルまたは前記第２ＴＦＣＩの符号化シンボルとして使用して、前記第１ＴＦＣＩの符号率または前記第２ＴＦＣＩの符号率を増加させる。前記実施形態は、前記第１ＴＦＣＩ符号化シンボルの数と前記第２ＴＦＣＩ符号化シンボルの数の和が３２になるべきであるという条件において、前記第１ＴＦＣＩの符号率のみを高めることによって性能を増加させるか、それとも第２ＴＦＣＩの符号率のみを高めることによって性能を増加させる必要がある場合、前記符号率の決定基準のうち前記第１ＴＦＣＩまたは前記第２ＴＦＣＩの符号率のみを増加させる。
【００３４】
＜表１＞に示す入力ビット比が決定されると、前記符号化シンボルの比によって３つの符号化方法のいずれか１つの方法が使用される。
本発明は、＜表１＞に示すそれぞれの符号率によって符号化を遂行することのできる符号器を提供する。＜表１＞を参照すると、入力ビットの比(または、情報量の比、つまり、第１ＴＦＣＩビットと第２ＴＦＣＩビットの比)が１：９である場合、前記符号化シンボルの比は、３：２９、４：２８．または５：２７になる。前記入力ビットの比が２：８である場合、前記符号化シンボルの比は、６：２６、７：２５、または８：２４になり、前記入力ビットの比が３：７である場合は、前記符号化シンボルの比は、９：２３、１０：２２、または１１：２１になる。前記入力ビットの比が４：６である場合、前記符号化シンボルの比は、１２：２０、１３：１９、または１４：１８になる。前記入力ビットの比が６：４である場合、前記符号化シンボルの比は、１８：１４、１９：１３、または２０：１２になり、前記入力ビットの比が７：３である場合、前記符号化シンボルの比は、２１：１１、２２：１０、または２３：９になる。前記入力ビットの比が８：２である場合、前記符号化シンボルの比は２４：８、２５：７または、２６：６になり、前記入力ビットの比が９：１である場合、前記符号化シンボルの比は、２７：５、２８：４、２９：３になる
【００３５】
従って、前記入力ビットの比が１：９である場合、{(３,１)符号器、(２９,９)符号器、(４,１)符号器、及び(２８,９)符号器}または{(５,１)符号器及び(２７,９)符号器}が必要である。前記入力ビットの比が２：８である場合、{(６,２)符号器、(２６,８)符号器、(７,２)符号器、及び(２５,８)符号器}または{(８,２)符号器及び(２４,８)符号器}が必要である。前記入力ビットの比が３：７である場合、{(９,３)符号器、(２３,７)符号器、(１０,３)符号器、及び(２２,７)符号器}または{(１１,３)符号器及び(２１,７)符号器}が必要である。前記入力ビットの比が４：６である場合、{(１２,４)符号器、(２０,６)符号器、(１３,４)符号器、及び(１９,６)符号器}または{(１４,４)符号器及び(１８,６)符号器}が必要である。従って、前記２４個の符号器及び現在使用中の(１６,５)符号器、(３２,１０)符号器を考慮して、性能の向上及びハードウェアの複雑度の低減のために、前記１８個の符号器が１つの構造で動作できる符号器が必要である。
【００３６】
通常に、線形エラー訂正符号(Linear Error Correcting Code)の性能を示す尺度(measure)としてエラー訂正符号の符号語(codeword)のハミング距離(Hamming distance)分布がある。前記“ハミング距離”は、符号語において０でないシンボルの数を意味する。つまり、ある符号語‘０１１１’の場合、前記符号語に含まれた１の個数が３であるので、前記ハミング距離は３である。前記ハミング距離のうち最小の値を“最小距離ｄｍｉｎ”と称する。前記符号語の最小距離の増加は、前記エラー訂正符号のエラー訂正性能を増加させる。つまり、“最適の符号(optimal code)”は、最適のエラー訂正性能を有する符号を意味する。これは、参照文献「The Theory of Error-Correcting Codes, F.J.Macwilliams, N.J.A.Sloane, North-Holland」に詳細に開示されている。
【００３７】
さらに、ハードウェア複雑度の低減のために相違する長さを有する符号器を１つの符号器構造で動作させるために、最長の符号、つまり、(３２,１０)符号を短縮化(Shortening)することが望ましい。前記短縮化のためには符号化シンボルの穿孔が必要であり、前記符号の穿孔においては、穿孔位置によって前記符号の最小距離が変化する。従って、前記穿孔された符号が最小距離を有するように前記穿孔位置を計算することが望ましい。
【００３８】
例えば、(３,２)シンプレックス符号を３回繰り返した後、最後の２つの符号化シンボルを穿孔することによって得られる、＜表１＞に示す多様な符号率のいずれか１つの符号率を有する最適の(７,２)符号を使用することが、最小距離の観点で最も望ましい。＜表２＞は、前記(３,２)シンプレックス符号の入力情報ビットと前記入力情報ビットによって出力される(３,２)シンプレックス符号語との間の関係を示す。
【００３９】
【表２】
0003730195.tif 000003
【００４０】
＜表３＞は、前記入力情報ビットと、前記(３,２)シンプレックス符号語を３回繰り返した後、前記最後の２つの符号化シンボルを穿孔することによって得られる(７,２)シンプレックス符号語との間の関係を示す。
【００４１】
【表３】
0003730195.tif 000004
【００４２】
しかしながら、前記(３,２)シンプレックス符号語を３回繰り返した後、最後の２つの符号化シンボルを穿孔することによって得られる前記(７,２)シンプレックス符号語は、既存の(１６,４)リードマラー(Reed Muller)符号を短縮化することによって具現することができる。
【００４３】
以下、前記短縮化の方法に対して例を挙げて説明する。まず、(１６,４)リードマラー符号は、長さ１６の４つの基底符号語(basis codeword)の線形結合であり、ここで、‘４’は、入力情報ビットの数である。前記１６入力情報ビットのうち２ビットのみを受信することは、前記長さ１６の４つの基底符号語のうち２つの基底符号語のみの線形結合を使用し、残りの基底符号語は使用しないということである。さらに、前記基底符号語の使用を制限した後、１６シンボルのうち９シンボルを穿孔することによって、前記(１６,４)符号器を使用して(７,２)符号器を動作させることができる。＜表４＞は、前記短縮化方法を説明する。
【００４４】
【表４】
0003730195.tif 000005
【００４５】
＜表４＞を参照すると、全ての(１６,４)符号語は、太字の長さ１６の４つの基底符号語の線形結合である。前記(７,２)符号を得るためには、前記４つの基底符号語のうち上位２つの基底符号語のみを使用する。そうすると、残りの下位１２個の基底符号語は、自動的に使用されない。従って、前記上位４つの基底符号語のみが使用される。さらに、前記上位４つの基底符号語のうち長さ７の基底符号語を生成するためには、９つのシンボルを穿孔する必要がある。＜表４＞に示す(＊)によって表示されたシンボルを穿孔した後、残りの７つの符号化シンボルを集めることによって、＜表３＞の(７,２)シンプレックス符号語を得ることができる。
【００４６】
ここで、(３２,１０) リードマラーコード(Sub-code of the Second order Reed Muller code)を短縮化することによって、前記情報ビットの比が１：９である場合に使用される{(３,１)最適符号、(２９,９)最適符号、(４,１)最適符号、及び(２８,９)最適符号}及び{(５,１)最適符号及び(２７,９)最適符号}を生成する符号器の構造、前記情報ビットの比が２：８である場合に使用される{(６,２)最適符号、(２６,８)最適符号、(７,２)最適符号、及び(２５,８)最適符号}及び(８,２)最適符号及び(２４,８)最適符号}を生成する符号器の構造、前記情報ビットの比が３：７である場合に使用される{(９,３)最適符号、(２３,７)最適符号、(１０,３)最適符号、及び(２２,７)最適符号}及び{(１１,３)最適符号、(２１,７)最適符号}を生成する符号器の構造、前記情報ビットの比が４：６である場合に使用される(１２,４)最適符号、(２０,６)最適符号、(１３,４)最適符号、及び(１９,６)最適符号}及び{(１４,４)最適符号及び(１８,６)最適符号}生成する符号器の構造、及び前記情報ビットの比が５：５である場合に使用される(１６,５)最適符号及び(３２,１０)最適符号を生成する符号器の構造に対して説明する。さらに、前記符号器に対応する復号器の構造に対して説明する。
【００４７】
１．送信器の第１実施形態
本発明の実施形態は、前記入力情報ビットの比が５：５であるＬＳＭ方法のように、ＨＳＭ方法において、１０ビットの情報ビットを１：９、２：８、３：７、４：６、５：５、６：４、７：３、８：２、または９：１の比率で分けて符号化(coding)する装置及び方法を示す。
【００４８】
図２は、本発明の実施形態による送信器の構造を示す。図２を参照すると、前述した情報ビットの比のいずれか１つによって分けられる前記ＤＳＣＨのためのＴＦＣＩビット及び前記ＤＣＨのためのＴＦＣＩビットが、第１符号器２００及び第２符合器２０５にそれぞれ入力される。ここで、前記ＤＳＣＨのためのＴＦＣＩビットは、ＴＦＣＩ(field 1)または第１ＴＦＣＩと称し、前記ＤＣＨのためのＴＦＣＩビットは、ＴＦＣＩ(field 2)または第２ＴＦＣＩビットと称する。前記ＤＳＣＨのためのＴＦＣＩビットは、前記第１ＴＦＣＩビット発生器２５０から発生し、前記ＤＣＨのためのＴＦＣＩビットは、前記第２ＴＦＣＩビット発生器２５５から発生する。前記第１及び第２ＴＦＣＩビットは、前述した情報ビットの比によって相違する比率を有する。さらに、前記情報ビットの比による符号語の長さ設定値である符号長さ情報を示す制御信号は、前記第１符号器２００及び前記第２符号器２０５に入力される。前記符号長さ情報は、符号長さ情報発生器４６０から発生し、前記第１ＴＦＣＩ及び第２ＴＦＣＩビットの長さによって可変する値を有する。
【００４９】
前記情報ビットの比が６：４である場合、前記符号器２００は、６ビットのＤＳＣＨのためのＴＦＣＩビットを受信すると、(２０,６)符号器、(１９,６)符号器、または(１８,６)符号器として動作するようにする長さ制御信号を受信し、前記３つの符号器のうち１つの符号器として動作する。前記符号器２０５は、前記４ビットのＤＣＨのためのＴＦＣＩビットを受信すると、(１２,４)符号器、(１３,４)符号器、または(１４,４)符号器として動作するようにする長さ制御信号を受信し、前記３つの符号器のうち１つの符号器として動作する。さらに、前記情報ビットの比が７:３である場合、前記符号器２００は、前記７ビットのＤＳＣＨのためのＴＦＣＩビットを受信すると、(２３,７)符号器、(２２,７)符号器、または(２１,７)符号器として動作するようにする長さ制御信号を受信し、前記３つの符号器のうち１つの符号器として動作する。前記符号器２０５は、前記３ビットのＤＣＨのためのＴＦＣＩビットを受信すると、(９,３)符号器、(１０,３)符号器、または(１１,３)符号器として動作するようにする長さ制御信号を受信し、前記３つの符号器のうち１つの符号器として動作する。さらに、前記情報ビットの比が８：２である場合、前記符号器２００は、前記８ビットのＤＳＣＨのためのＴＦＣＩビットを受信すると、(２６,８)符号器、(２５,８)符号器、または(２４,８)符号器として動作するようにする長さ制御信号を受信し、前記３つの符号器のうち１つの符号器として動作する。前記符号器２０５は、前記２ビットのＤＣＨのためのＴＦＣＩビットを受信すると、(６,２)符号器、(７,２)符号器、または(８,２)符号器として動作するようにする長さ制御信号を受信し、前記３つの符号器のうち１つの符号器として動作する。さらに、前記情報ビットの比は９：１である場合、前記符号器２００は、前記９ビットのＤＳＣＨのためのＴＦＣＩビットを受信すると、(２９,９)符号器、(２８,９)符号器、または(２７,９)符号器として動作するようにする長さ制御信号を入力し、前記３つの符号器のうち１つの符号器として動作する。前記符号器２０５は、前記１ビットのＤＣＨのためのＴＦＣＩビットを受信すると、(３,１)符号器、(４,１)符号器、または(５,１)符号器として動作するようにする長さ制御信号を受信し、前記３つの符号器のうち１つの符号器として動作する。前記制御信号は、前記第１ＴＦＣＩビットと前記第２ＴＦＣＩビットとの和が３２になるように生成されるべきである。つまり、前記第１ＴＦＣＩ符号器が(４,１)符号器である場合、前記第２ＴＦＣＩ符号器は、(２９,９)符号器または(２７,９)符号器でなく、(２８,９)符号器になるべきであるということである。前記第２ＴＦＣＩ符号器が(２９,９)符号器になる場合は、符号化ビットｂｌの数が３３になり、前記第２ＴＦＣＩ符号器が(２７,９)符号器になる場合は、前記符号化ビットｂｌの数が３１になる。この場合、前記送信器は、(１６,５)符号器または(３２,１０)符号器を使用する従来の送信器と互換できない。さらに、前記送信器は、前記ｂｌビットを前記ｄｍビットにマッピングする場合も、従来の送信器と互換できない。
【００５０】
図４は、前記符号器２００及び２０５の詳細構成を示す。つまり、前記第１ＴＦＣＩビット及び前記第２ＴＦＣＩビットのを符号化する符号器２００及び２０５は、図４の構造を有する。しかしながら、前記第１ＴＦＣＩ符号器及び前記第２ＴＦＣＩ符号器は、時間差を置いて前記第１ＴＦＣＩ符号語及び前記第２ＴＦＣＩ符号語を生成すると、１つの符号器として具現されることができる。前記時間差を置いて前期第１ＴＦＣＩ符号語及び前記第２ＴＦＣＩ符号語を生成する送信器の構造は、図３に示すようである。
【００５１】
まず、図２を参照して、前記第１ＴＦＣＩビットと前記第２ＴＦＣＩビットとの比が１：９である場合を例として、本発明の実施形態による符号器の動作を詳細に説明する。
【００５２】
前記情報ビットの比が１：９である場合、前記符号器２００は(３,１)符号器として動作し、前記符号器２０５は(２９,９)符号器として動作するか、それとも前記符号器２００は(４,１)符号器として動作し、前記符号器２０５は(２８,９)符号器として動作するか、それとも符号器２００は(５,１)符号器として動作し、前記符号器２０５は(２７,９)符号器として動作する。
【００５３】
以下、図４を参照して、(３,１)符号器、(２９,９)符号器、(４,１)符号器、(２８,９)符号器、(５,１)符号器、及び(２７,９)符号器の動作を詳細に説明する。
第１に、前記(３,１)符号器の動作を説明する。図４を参照すると、１ビットの入力ビットとしてａ０が前記符号器に入力され、残りの入力ビットａ１、ａ２、ａ３、ａ４、ａ５、ａ６、ａ７、ａ８、及びａ９は‘０’で充填される。そうすると、前記入力ビットａ０は乗算器４１０に、 入力ビットａ１は乗算器４１２に、入力ビットａ２は乗算器４１４に、入力ビットａ３は乗算器４１６に、入力ビットａ４は乗算器４１８に、入力ビットａ５は乗算器４２０に、入力ビットａ６は乗算器４２２に、入力ビットａ７は乗算器４２４に、入力ビットａ８は乗算器４２６に、入力ビットａ９は乗算器４２８に入力される。同時に、ウォルシュ符号生成器４００は、基底符号語Ｗ１＝１０１０１０１０１０１０１０１１０１０１０１０１０１０１０１００を生成し、前記生成された基底符号語Ｗ１を前記乗算器４１０に提供する。前記乗算器４１０は、前記入力ビットａ０を前記基底符号語とシンボル単位で乗算して前記排他的加算器(exclusive OR operator: ＸＯＲ operator)４４０に提供する。さらに、前記ウォルシュ符号生成器４００は、その他の基底符号語Ｗ２、Ｗ４、Ｗ８、及びＷ１６を生成してそれぞれ乗算器４１２、４１４、４１６、４１８に提供する。１符号生成器４０２は、全て１の基底符号語(または、全て１のシーケンス)を生成して前記乗算器４２０に提供する。一方、マスク生成器４０４は、基底符号語Ｍ１、Ｍ２、Ｍ４、及びＭ８を生成し、それぞれ乗算器４２２、４２４、４２６、及び４２８に提供する。しかしながら、前記乗算器４１２、４１４、４１６、４１８、４２０、４２２、４２４、４２６、及び４２８に入力された前記入力ビットａ１、ａ２、ａ３、ａ４、ａ５、ａ６、ａ７、ａ８、及びａ９が全て０であるので、前記乗算器４１２、４１４、４１６、４１８、４２０、４２２、４２４、４２６、及び４２８は前記排他的加算器４４０に０を出力するので、前記排他的加算器４４０の出力に何の影響も与えない。つまり、前記排他的加算器４４０によって前記乗算器４１０、４１２、４１４、４１６、４１８、４２０、４２２、４２４、４２６、及び４２８の出力値を排他的加算することによって決定される値は、前記乗算器４１０の出力値と同一である。前記排他的加算器４４０から出力された３２個のシンボルは、穿孔器４６０に提供される。この時、制御器４５０は、符号長さ情報を受信し、前記符号長さ情報に基づいて穿孔位置を示す制御信号を前記穿孔器４６０に提供する。そうすると、前記穿孔器４６０は、前記制御器４５０から出力された制御信号によって前記０番目乃至３１番目の３２個の符号化シンボルのうち、１、３、５、６、７、８、９、１０、１１、１２、１３、１４、１５、１６、１７、１８、１９、２０、２１、２２、２３、２４、２５、２６、２７、２８、２９、３０、３１番目の符号化シンボルを穿孔する。つまり、前記穿孔機４６０は、前記３２個の符号化シンボルのうち２９個のシンボルを穿孔し、３つの穿孔されなかった符号化シンボルを出力する。
【００５４】
第２に、前記(２９,９)符号器の動作に関して説明する。図４を参照すると、９ビットの入力ビットａ０、ａ２、ａ３、ａ４、ａ５、ａ６、ａ７、及び及びａ８は、前記符号器に提供され、残りの入力ビットａ９は‘０’で充填される。前記入力ビットａ０は前記乗算器４１０に、前記入力ビットａ１は乗算器４１２に、前記入力ビットａ２は乗算器４１４に、前記入力ビットａ３は乗算器４１６に、前記入力ビットａ４は乗算器４１８に、前記入力ビットａ５は乗算器４２０に、前記入力ビットａ６は乗算器４２２に、前記入力ビットａ７は乗算器４２４に、前記入力ビットａ８は乗算器４２６に、前記入力ビットａ９は乗算器４２８に入力される。同時に、前記ウォルシュ符号生成器４００は、基底符号語Ｗ１＝１０１０１０１０１０１０１０１１０１０１０１０１０１０１０１００を前記乗算器４１０に提供し、基底符号語Ｗ２＝０１１００１１００１１００１１０１１００１１００１１００１１００を前記乗算器４１２に提供し、基底符号語Ｗ４＝０００１１１１００００１１１１０００１１１１００００１１１１００を前記乗算器４１４に提供し、基底符号語Ｗ８＝０００００００１１１１１１１１０００００００１１１１１１１１００を前記乗算器４１６に提供し、基底符号語Ｗ１６＝０００００００００００００００１１１１１１１１１１１１１１１０１を前記乗算器４１８に提供する。前記乗算器４１０は、シンボル単位で前記基底符号語Ｗ１と前記入力ビットａ０を乗算して前記排他的加算器４４０に出力し、前記乗算器４１２は、シンボル単位で前記基底符号語Ｗ２と前記入力ビットａ１を乗算して前記排他的加算器４４０に出力し、前記乗算器４１４は、シンボル単位で前記基底符号語Ｗ４と前記入力ビットａ２を乗算して前記排他的加算器４４０に出力し、前記乗算器４１６は、シンボル単位で前記基底符号語Ｗ８と前記入力ビットａ３を乗算して前記排他的加算器４４０に出力し、前記乗算器４１８は、シンボル単位で前記基底符号語Ｗ１６と前記入力ビットａ４を乗算して前記排他的加算器４４０に出力する。さらに、１符号生成器４０２は、全て１の長３２の基底符号語を生成して前記乗算器４２０に出力する。そうすると、前記乗算器４２０は、シンボル単位で前記全て１の基底符号語と前記入力ビットａ５を乗算して前記排他的加算器４４０に出力する。前記マスク生成器４４０は、基底符号語Ｍ１＝０１０１ ００００ １１００ ０１１１ １１００ ０００１ １１０１ １１０１を前記乗算器４２２に提供し、基底符号語Ｍ２＝００００ ００１１ １００１ １０１１ １０１１ ０１１１ ０００１ １１００を前記乗算器４２４に提供し、基底符号語Ｍ４＝０００１ ０１０１ １１１１ ００１０ ０１１０ １１００ １０１０ １１００を前記乗算器４２６に提供する。前記乗算器４２２は、シンボル単位で前記基底符号語Ｍ１と前記入力ビットａ６を乗算して前記排他的加算器４４０に出力し、前記乗算器４２４は、シンボル単位で前記基底符号語Ｍ２と前記入力ビットａ７を乗算して前記排他的加算器４４０に出力し、前記乗算器４２６は、シンボル単位で前記基底符号語Ｍ４と前記入力ビットａ８を乗算して前記排他的加算器４４０に出力する。さらに、前記マスク生成器４０４は、その他の基底符号語Ｍ８を生成して前記乗算器４２８に出力する。しかしながら、前記乗算器４２８に入力された前記入力ビットａ９が０であるので、前記乗算器４２８は前記排他的加算器４４０に０を出力する。従って、前記乗算器４２８の出力は、前記排他的加算器４４０の出力に何の影響も与えない。つまり、前記排他的加算器４４０が前記乗算器４１０、４１２、４１４、４１６、４１８、４２０、４２２、４２４、４２６、及び４２８の出力値を排他的加算して決定された値は、前記乗算器４１０、４１２、４１４、４１６、４１８、４２０、４２２、４２４、及び４２６の出力値を排他的加算して決定された値と同一である。前記排他的加算器４４０から出力された３２個のシンボルは前記穿孔器４６０に提供される。同時に、制御器４５０は、符号長さ情報を受信し、前記符号長さ情報に基づいて穿孔位置を示す制御信号を前記穿孔器４６０に提供する。そうすると、前記穿孔器４６０は、前記制御器４５０から出力された前記制御信号によって０番目乃至３１番目の３２個の符号化シンボルをうち、６、１０ 、１１番目の符号化シンボルを穿孔する。つまり、前記穿孔器４６０は、前記３２個の符号化シンボルのうち３つの符号化シンボルを穿孔するので、穿孔なれなかった２９個の符号化シンボルを出力する。
【００５５】
第３に、(４,１)符号器の動作を説明する、図４を参照すると、１ビットの入力ビットとしてａ０が入力され、残りの入力ビットａ１、ａ２、ａ３、ａ４、ａ５、ａ６、ａ７、ａ８、及びａ９は‘０’で充填される。前記入力ビットａ０は乗算器４１０に、前記入力ビットａ１は前記乗算器４１２に、前記入力ビットａ２は前記乗算器４１４に、前記入力ビットａ３は前記乗算器４１６に、前記入力ビットａ４は前記乗算器４１８に、前記入力ビットａ５は前記乗算器４２０に、前記入力ビットａ６は前記乗算器４２２に、前記入力ビットａ７は前記乗算器４２４に、前記入力ビットａ８は前記乗算器４２６に、前記入力ビットａ９は前記乗算器４２８に入力される。同時に、ウォルシュ符号生成器４００は、基底符号語Ｗ１＝１０１０１０１０１０１０１０１１０１０１０１０１０１０１０１００を生成して前記乗算器４１０に提供する。そうすると、前記乗算器４１０は、前記入力ビットａ０と前記基底符号語Ｗ１をシンボル単位で乗算して前記排他的加算器４４０に提供する。さらに、前記ウォルシュ符号生成器４００は、その他の基底符号語Ｗ２、Ｗ４、Ｗ８、及びＷ１６を生成してそれぞれ乗算器４１２、４１４、４１６、及び４１８に提供する。１符号生成器４０２は、全て１の基底符号語(または、全て１のシーケンス)を生成して前記乗算器４２０に提供する。前記マスク生成器４０４は、基底符号語Ｍ１、Ｍ２、Ｍ４、及びＭ８を生成してそれぞれ前記乗算器４２２、４２４、４２６、及び４２８に提供する。しかしながら、前記乗算器４１２、４１４、４１６、４１８、４２０、４２２、４２４、４２６、及び４２８に入力された前記入力ビットａ１、ａ２、ａ３、ａ４、ａ５、ａ６、ａ７、ａ８、及びａ９が０であるので、前記乗算器４１２、４１４、４１６、４１８、４２０、４２２、４２４、４２６、及び４２８は前記排他的加算器４４０に０を出力する。従って、前記乗算器の出力は前記排他的加算器４４０の出力に何の影響も与えない。つまり、前記排他的加算器４４０が前記乗算器４１０、４１２、４１４、４１６、４１８、４２０、４２２、４２４、４２６、及び４２８の出力値を排他的加算して決定された値は、前記乗算４１０の出力値と同一である。前記排他的加算器４４０から出力された３２個のシンボルは、前記穿孔器４６０に入力される。同時に、前記制御器４５０は、符号長さ情報を受信し、前記符号長さ情報に基づいて穿孔位置を示す制御信号を前記穿孔器４６０に提供する。そうすると、前記穿孔器４６０は、前記制御器４５０から出力された制御信号によって０番目乃至３１番目の３２個の符号化シンボルのうち、１、３、５、７、８、９、１０、１１、１２、１３、１４、１５、１６、１７、１８、１９、２０、２１、２２、２３、２４、２５、２６、２７、２８、２９、３０、及び３１番目の符号化シンボルを穿孔する。つまり、前記穿孔器４６０は、前記３２個の符号化シンボルのうち２８個のシンボルを穿孔するので、４つの穿孔されなかった符号化シンボルを出力する。
【００５６】
第４に、(２８,９)符号器の動作を説明する。図４を参照すると、９ビットの入力ビットａ０、ａ２、ａ３、ａ４、ａ５、ａ６、ａ７、及びａ８は前記符号器に提供され、残りのａ９は‘０’で充填される。前記入力ビットａ０は乗算器４１０に、前記入力ビットａ１は乗算器４１２に、前記入力ビットａ２は乗算器４１４に、前記入力ビットａ３は乗算器４１６に、前記入力ビットａ４は乗算器４１８に、前記入力ビットａ５は乗算器４２０に、前記入力ビットａ６は乗算器４２２に、前記入力ビットａ７は乗算器４２４に、前記入力ビットａ８は乗算器４２６に、前記入力ビットａ９は乗算器４２８に入力される。同時に、前記ウォルシュ符号生成器４００は、基底符号語Ｗ１＝１０１０１０１０１０１０１０１１０１０１０１０１０１０１０１００を生成して前記乗算器４１０に提供し、基底符号語Ｗ２＝０１１００１１００１１００１１０１１００１１００１１００１１００を生成して前記乗算器４１２に提供し、基底符号語Ｗ４＝０００１１１１００００１１１１０００１１１１００００１１１１００を生成して前記乗算器４１４に提供し、基底符号語Ｗ８＝０００００００１１１１１１１１０００００００１１１１１１１１００を生成して前記乗算器４１６に提供し、基底符号語Ｗ１６＝０００００００００００００００１１１１１１１１１１１１１１１０１を生成して前記乗算器４１８に提供する。そうすると、前記乗算器４１０は、シンボル単位で前記基底符号語Ｗ１と前記入力ビットａ０を乗算して排他的加算器４４０に出力し、前記乗算器４１２は、シンボル単位で前記基底符号語Ｗ２と前記入力ビットａ１を乗算して前記排他的加算器４４０に出力し、前記乗算器４１４は、シンボル単位で前記基底符号語Ｗ４と前記入力ビットａ２を乗算して前記排他的加算器４４０に出力し、前記乗算器４１６はシンボル単位で前記基底符号語Ｗ８と前記入力ビットａ３を乗算して前記排他的加算器４４０に出力し、前記乗算器４１８はシンボル単位で前記基底符号語Ｗ１６と前記入力ビットａ４を乗算して前記排他的加算器４４０に出力する。さらに、１符号生成器４０２は、全て１の長さ３２の基底符号語を生成して前記乗算器４２０に提供する。そうすると、前記乗算器４２０は、シンボル単位で前記全て１の基底符号語と前記入力ビットａ５を乗算して前記排他的加算器４４０に提供する。前記マスク生成器４４０は、基底符号語Ｍ１＝０１０１ ００００ １１００ ０１１１ １１００ ０００１ １１０１ １１０１を生成して前記乗算器４２２に提供し、基底符号語Ｍ２＝００００ ００１１ １００１ １０１１ １０１１ ０１１１ ０００１ １１００を生成して前記乗算器４２４に提供し、基底符号語Ｍ４＝０００１ ０１０１ １１１１ ００１０ ０１１０ １１００ １０１０ １１００を生成して前記乗算器４２６に提供する。前記乗算器４２２は、シンボル単位で前記基底符号語Ｍ１と前記入力ビットａ６を乗算して前記排他的加算器４４０に出力し、前記乗算器４２４はシンボル単位で前記基底符号語Ｍ２と前記入力ビットａ７を乗算して前記排他的加算器４４０に出力し、前記乗算器４２６は、シンボル単位で前記基底符号語Ｍ４と前記入力ビットａ８を乗算して前記排他的加算器４４０に出力する。さらに、前記マスク生成器４０４は、その他の基底符号語Ｍ８を生成して前記乗算器４２８に提供する。しかしながら、前記乗算器４２８に入力された前記入力ビットａ９が０であるので、前記乗算器４２８は前記排他的加算器４４０に０を出力する。従って、前記乗算器４２８の出力は、前記排他的加算器４４０の出力に何の影響も与えない。つまり、前記排他的加算器４４０が前記乗算器前記乗算器４１０、４１２、４１４、４１６、４１８、４２０、４２２、４２４、４２６、及び４２８からの出力値を排他的加算して決定された値は、前記乗算器４１０、４１２、４１４、４１６、４１８、４２０、４２２、４２４、４２６からの出力値を排他的加算して決定された値と同一である。前記排他的加算器４４０から出力された３２個のシンボルは、前記穿孔器４６０に提供される。同時に、前記制御器４５０は、符号長さ情報を受信し、前記符号長さ情報に基づいて穿孔位置を示す制御信号を前記穿孔器４６０に提供する。そうすると、前記穿孔器４６０は、前記制御器４５０から出力された制御信号によって０番目乃至３１番目の３２個の符号化シンボルのうち、６、１０、１１、３０番目の符号化シンボルを穿孔する。つまり、前記穿孔器４６０は、前記３２個の符号化シンボルのうち４つのシンボルを穿孔するので、２８個の穿孔されなかった符号化シンボルを出力する。
【００５７】
第５に、(５,１)符号器の動作を説明する。図４を参照すると、１ビットの入力ビットとしてａ０は前記符号器に提供され、残りの入力ビットａ１、ａ２、ａ３、ａ４、ａ５、ａ６、ａ７、ａ８、及びａ９は‘０’で充填される。前記入力ビットａ０は乗算器４１０に、入力ビットａ１は乗算器４１２に、入力ビットａ２は乗算器４１４に、入力ビットａ３は乗算器４１６に、入力ビットａ４は乗算器４１８に、入力ビットａ５は乗算器４２０に、入力ビットａ６は乗算器４２２に、入力ビットａ７は乗算器４２４に、入力ビットａ８は乗算器４２６に、入力ビットａ９は乗算器４２８に入力される。それと同時に、前記ウォルシュ符号生成器４００は、基底符号語Ｗ１＝１０１０１０１０１０１０１０１１０１０１０１０１０１０１０１００を生成して乗算器４１０に提供する。そうすると、前記乗算器４１０は、前記基底符号語Ｗ１と入力ビットａ０をシンボル単位で乗算して前記排他的加算器４４０に出力する。さらに、前記ウォルシュ符号生成器４００は、その他の基底符号語Ｗ２、Ｗ４、Ｗ８、及びＷ１６を生成してそれぞれ乗算器４１２、４１４、４１６、及び４１８に出力する。１符号生成器４０２は、全て１の長さ３２の基底符号語を生成して前記乗算器４２０に提供する。さらに、前記マスク生成器４０４は、基底符号語Ｍ１、Ｍ２、Ｍ４、及びＭ８を生成してそれぞれ乗算器４２２、４２４、４２６、及び４２８に提供する。しかしながら、前記乗算器４１２、４１４、４１６、４１８、４２０、４２２、４２４、４２６、及び４２８に入力された前記入力ビットａ１、ａ２、ａ３、ａ４、ａ５、ａ６、ａ７、ａ８、及びａ９が全て０であるので、前記乗算器４１２、４１４、４１６、４１８、４２０、４２２、４２４、４２６、及び４２８は、前記排他的加算器４４０に０を出力する。従って、前記乗算器からの出力は、前記排他的加算器４４０からの出力に何の影響も与えない。つまり、前記排他的加算器４４０が乗算器４１０、４１２、４１４、４１６、４１８、４２０、４２２、４２４、４２６、及び４２８の出力値を排他的加算して決定された値は、前記乗算器４１０の出力値と同一である。前記排他的加算器４４０から出力された３２個のシンボルは、前記穿孔器４６０に提供される。それと同時に、前記制御器４５０は、符号長さ情報を受信し、前記符号長さ情報に基づいて穿孔位置を示す制御信号を前記穿孔器４６０に出力する。そうすると、前記穿孔器４６０は、前記制御器４５０から出力された制御信号によって０番目乃至３１番目の３２個の符号化シンボルのうち、１、３、５、７、９、１０、１１、１２、１３、１４、１５、１６、１７、１８、１９、２０、２１、２２、２３、２４、２５、２６、２７、２８、２９、３０、３１番目の符号化シンボルを穿孔する。つまり、前記穿孔器４６０は、前記３２個の符号化シンボルのうち２７個のシンボルを穿孔するので、５つの穿孔されなかった符号化シンボルを出力する。
【００５８】
第６に、(２７,９)符号器の動作を説明する。図４を参照すると、９ビットの入力ビットａ０、ａ２、ａ３、ａ４、ａ５、ａ６、ａ７、ａ８は前記符号器に適用され、残りのａ９は‘０’で充填される。前記入力ビットａ０は乗算器４１０に、入力ビットａ１は乗算器４１２に、入力ビットａ２は乗算器４１４に、入力ビットａ３は乗算器４１６に、入力ビットａ４は乗算器４１８に、入力ビットａ５は乗算器４２０に、入力ビットａ６は乗算器４２２に、入力ビットａ７は乗算器４２４に、入力ビットａ８は乗算器４２６に、入力ビットａ９は乗算器４２８提供される。それと同時に、前記ウォルシュ符号生成器４００は、基底符号語Ｗ１＝１０１０１０１０１０１０１０１１０１０１０１０１０１０１０１００を生成して乗算器４１０に提供し、基底符号語Ｗ２＝０１１００１１００１１００１１０１１００１１００１１００１１００を生成して乗算器４１２に提供し、基底符号語Ｗ４＝０００１１１１００００１１１１０００１１１１００００１１１１００を生成して乗算器４１４に提供し、基底符号語Ｗ８＝０００００００１１１１１１１１０００００００１１１１１１１１００を生成して乗算器４１６に提供し、基底符号語Ｗ１６＝０００００００００００００００１１１１１１１１１１１１１１１０１を生成して乗算器４１８に提供する。そうすると、前記乗算器４１０は、シンボル単位で前記基底符号語Ｗ１と入力ビットａ０を乗算して排他的加算器４４０に出力し、前記乗算器４１２は、シンボル単位で前記基底符号語Ｗ２と入力ビットａ１を乗算して排他的加算器４４０に出力し、前記乗算器４１４はシンボル単位で前記基底符号語Ｗ４と入力ビットａ２を乗算して排他的加算器４４０に出力し、前記乗算器４１６はシンボル単位で前記基底符号語Ｗ８と入力ビットａ３を乗算して排他的加算器４４０に出力し、前記乗算器４１８はシンボル単位で前記基底符号語Ｗ１６と入力ビットａ４を乗算して排他的加算器４４０に出力する。前記１符号生成器４０２は、全て１の長さ３２の基底符号語を生成して前記乗算器４２０に出力する。前記乗算器４２０は、シンボル単位で前記全て１の基底符号語と入力ビットａ５を乗算して排他的加算器４４０に提供する。前記マスク生成器４４０は、基底符号語Ｍ１＝０１０１ ００００ １１００ ０１１１ １１００ ０００１ １１０１ １１０１を生成して乗算器４２２に提供し、基底符号語Ｍ２＝００００ ００１１ １００１ １０１１ １０１１ ０１１１ ０００１ １１００を生成して乗算器４２４に提供し、基底符号語Ｍ４＝０００１ ０１０１ １１１１ ００１０ ０１１０ １１００ １０１０ １１００を生成して乗算器４２６に提供する。そうすると、前記乗算器４２２は、シンボル単位で前記基底符号語Ｍ１と入力ビットａ６を乗算して排他的加算器４４０に出力し、前記乗算器４２４は、シンボル単位で前記基底符号語Ｍ２と入力ビットａ７を乗算して排他的加算器４４０に出力し、前記乗算器４２６は、シンボル単位で前記基底符号語Ｍ４と入力ビットａ８を乗算して排他的加算器４４０に出力する。さらに、前記マスク生成器４０４は、その他の基底符号語Ｍ８を生成して乗算器４２８に出力する。しかしながら、前記乗算器４２８に入力された前記入力ビットａ９が０であるので、前記乗算器４２８は前記排他的加算器４４０に０を出力する。従って、前記乗算器４２８の出力は、前記排他的加算器４４０の出力に何の影響も与えない。つまり、前記排他的加算器４４０が乗算器４１０、４１２、４１４、４１６、４１８、４２０、４２２、４２４、４２６、及び４２８の出力値を排他的加算して決定された値は、前記乗算器４１０、４１２、４１４、４１６、４１８、４２０、４２２、４２４、及び４２６の出力値を排他的加算して決定された値と同一である。前記排他的加算器４４０から出力された３２個のシンボルは、前記穿孔器４６０に提供される。それと同時に、前記逝制御器４５０は、符号長さ情報を受信し、前記符号長さ情報に基づいて穿孔位置を示す制御信号を前記穿孔器４６０に出力する。そうすると、前記穿孔器４６０は、前記制御器４５０から出力された制御信号によって０番目乃至３１番目の３２個の符号化シンボルのうち、０、２、８、１９、２０番目の符号化シンボルを穿孔する。言い換えると、前記穿孔器４６０は、前記３２個の符号化シンボルのうち５つのシンボルを穿孔するので、２７個の穿孔されなかった符号化シンボルを出力する。
【００５９】
＜表５＞は、＜表１＞の全ての符号器を図４の符号器によって具現できる穿孔パターンを示す。＜表５＞の穿孔パターンは、図４の穿孔器４６０に適用され、(ｎ,ｋ)符号を具現することができる(ここで、ｎ＝３、４、…１４、１８、１９、…、２９で、ｋ＝１、２、３、４、６、７、８、９である )。
【００６０】
【表５】
0003730195.tif 000006
【００６１】
＜表５＞において、‘０’は、穿孔される符号化シンボルの位置を示し、‘１’は、穿孔されない符号化シンボルの位置を示す。＜表５＞の穿孔パターンを使用すると、第１ＴＦＣＩ情報ビットと第２ＴＦＣＩ情報ビットの比が２：８、３：７、４：６、６：４、７：３、８：２、９：１である場合の第１ＴＦＣＩ符号化シンボル及び第２ＴＦＣＩ符号化シンボルを計算することができる。＜表５＞の穿孔パターン及び前記第１ＴＦＣＩ情報ビットと前記第２ＴＦＣＩ情報ビットとの比が１：９である場合の説明によって、前記符号器２００及び２０５の動作がより明確になる。
【００６２】
前述した動作の後、前記符号器２００及び２０５から出力される符号化シンボルは、符号化シンボル配置器(または、マルチプレクサ)２１０によって配置(または、時分割)された後、３２個のシンボルが多重化された信号を生成する。
【００６３】
次に、前記符号化シンボル配置器２１０によって前記１ＴＦＣＩ符号化シンボル及び第２ＴＦＣＩ符号化シンボルを配置する方法を説明する。前記符号化シンボル配置器２１０は、前記符号器２００及び２０５から出力される第１ＴＦＣＩ符号化シンボル及び第２ＴＦＣＩ符号化シンボルが１つのラジオフレームでできるだけ均一に分布されるように配置する。つまり、前記符号化シンボル配置器２１０は、従来の技術の説明において定義した情報ビットａｋを符号化シンボルｂｌにマッピングする。前記情報ビットａｋを符号化した符号化シンボルにおいて、前記第１ＴＦＣＩビットを符号化した符号化シンボルのうちｘ番目の符号化シンボルをｃｘ１と定義する。ここで、ｘは、‘０’を含む整数である。前記第２ＴＦＣＩビットを符号化した符号化シンボルのうちｙ番目の符号化シンボルをｃｙ２と定義する。ここで、ｙは、‘０’を含む整数である。前記ｃｘ１の最後のシンボルのｘ値と前記ｃｙ２の最後のシンボルのｙ値の和は、常に３２である。さらに、前記符号化シンボルｃｘ１の数と前記符号化シンボルｃｙ２の数の和は３２である。従って、前記符号化シンボル配置器２１０は、前記符号化シンボルｃｘ１及びｃｙ２を前記ビットｂｌにマッピングする。前記ｂｌビットは、前記条件Ａ１、Ａ２、Ａ３、及びＡ４のそれぞれに対して前記ｄｍビットにマッピングされて実際ラジオフレームを通して伝送される。
【００６４】
条件Ａ２、Ａ３、及びＡ４においては、３２個のｂｌが全て伝送されるので問題ない。しかしながら、条件Ａ１においては、ビットｄ３０(ｂ３０)及びｄ３１(ｂ３１)が伝送されないので、前記ビットｄ３０(ｂ３０)及びｄ３１(ｂ３１)に符号化シンボルｃｘ１及びｃｙ２のうちどれをマッピングするかを選択する必要がある。前記符号化シンボルｃｘ１及びｃｙ２を前記ビットｄ３０(ｂ３０)及びｄ３１(ｂ３１)にマッピングする規則は、下記のようである。
【００６５】
規則１：前記第１ＴＦＣＩ符号化シンボル及び前記第２ＴＦＣＩ符号化シンボルの最後の符号化シンボルをｄ３０(ｂ３０)及びｄ３１(ｂ３１)にマッピングする。
規則２：前記第１ＴＦＣＩ符号化シンボル及び前記第２ＴＦＣＩ符号化シンボルの任意の符号化シンボルをｄ３０(ｂ３０)及びｄ３１(ｂ３１)にマッピングする。
規則３：符号率が低い符号器から出力される符号化シンボルのうち任意の２つの符号化シンボルをｄ３０(ｂ３０)及びｄ３１(ｂ３１)にマッピングする。
規則４：符号率が低い符号器から出力される符号化シンボルのうち最後の２つのシンボルまたは任意の２つの符号化シンボルをｄ３０(ｂ３０)及びｄ３１(ｂ３１)にマッピングする。
規則５：符号率が低い符号器以外の他の符号器から出力される符号化シンボルのうち任意の２つの符号化シンボルをｄ３０(ｂ３０)及びｄ３１(ｂ３１)にマッピングする。
【００６６】
前記規則１、規則２、規則３、規則４、及び規則５の適用において、下記の事項を考慮すべきである。つまり、それぞれの符号の符号化シンボルｃｘ１及びｃｙ２のうち、１つまたは２つの符号化シンボルが伝送されない場合、(１)前記第１ＴＦＣＩまたは前記第２ＴＦＣＩのために使用される符号の性能がどのように変化するか、(２)前記第１ＴＦＣＩ及び前記第２ＴＦＣＩのうちどのＴＦＣＩの信頼度(または、性能)を高めるか、(３) 前記符号の性能低下を最小化するために、それぞれの符号器から出力された符号化シンボルｃｘ１及びｃｙ２のうち、どの符号化シンボルをｄ３０(ｂ３０)及びｄ３１(ｂ３１)にマッピングするか、(４)前記第１ＴＦＣＩ及び前記第２ＴＦＣＩのうちどのＴＦＣＩに重点をおいて伝送するかを考慮すべきである。
【００６７】
以下の規則１、規則２、規則３、及び規則５の説明において、前記第１ＴＦＣＩと前記第２ＴＦＣＩの入力ビット率はＨＳＭにおいて３：７であると仮定する。さらに、規則４の説明において、前記第１ＴＦＣＩと前記第２ＴＦＣＩの入力ビット率は条件Ａ１の場合に３：７であると仮定する。
【００６８】
以下、規則１に対して例を挙げて説明する。前記第１ＴＦＣＩと前記第２ＴＦＣＩの情報ビット率によって使用できる符号は、(９,３)符号及び(２３,７)符号、または、(１１,３)符号及び(２１,７)符号である。前記(９,３)符号及び前記(２３,７)符号は、第２ＴＦＣＩの符号性能を高めるために使用され、前記(１１,３)符号及び前記(２１,７)符号は、第１ＴＦＣＩの符号性能を高めるために使用される。規則１が適用される時、前記(９,３)符号の場合は、９個の符号シンボルのうち、最後の符号化シンボルが伝送されないので、前記(９,３)符号の実質符号率が(８,３)符号になり、前記(２３,７)符号の場合、２３個の符号シンボルのうち、最後の符号化シンボルが伝送されないので、前記(２３,７)符号の実質符号率は(２２,７)符号になる。前記(１１,３)符号の場合、１１個の符号シンボルのうち、最後の符号化シンボルが伝送されないので、前記(１１,３)符号の実質符号率が(１０,３)符号になり、前記(２１,７)符号の場合、２１個の符号シンボルのうち、最後の符号化シンボルが伝送されないので、前記(２１,７)符号の実質符号率は(２０,７)符号になる。即ち、規則１を適用すると、それぞれの符号器から出力される符号シンボルのうちで、最後のシンボルをｄ３０(ｂ３０)及びｄ３１(ｂ３１)にマッピングするので、前記マッピングは簡単になる。しかしながら、条件Ａ１において、前記第１ＴＦＣＩ及び前記第２ＴＦＣＩの実質符号率が減少されるので、第１ＴＦＣＩ及び第２ＴＦＣＩの符号性能が減少される結果になる。
【００６９】
以下、規則２に対して例を挙げて説明する。第１ＴＦＣＩと第２ＴＦＣＩの情報ビット率によって使用できる符号は、(９,３)符号及び(２３,７)符号、または、(１１,３)符号及び(２１,７)符号である。規則２を適用すると、前記(９,３)符号の場合、９個の符号シンボルのうち、任意の符号化シンボルが伝送されないので、(９,３)符号の実質符号率が(８,３)符号になり、前記(２３,７)符号の場合、２３個の符号シンボルのうち、任意の符号化シンボルが伝送されないので、前記(２３,７)符号の実質符号率が(２２,７)符号になる。前記(１１,３)符号の場合、１１個の符号シンボルのうち、任意の符号化シンボルが伝送されないので、前記(１１,３)符号の実質符号率が(１０,３)符号になり、前記(２１,７)符号の場合、２１個の符号シンボルのうち、任意の符号化シンボルが伝送されないので、前記(２１,７)符号の実質符号率が(２０,７)符号になる。それぞれの符号の実質符号率が減少されても実際符号性能が低下しないように、任意の符号化シンボルが前記４つの符号から選択されることができる。しかしながら、前記選択された任意の符号化シンボルに関係なく、いくつかの符号は性能が低下する可能性がある。従って、規則２は、規則１より、前記符号化シンボルｃｘ１及びｃｙ２をマッピングする方法が複雑である。しかしながら、条件Ａ１において、第１ＴＦＣＩ及び第２ＴＦＣＩのための符号器の実質的な符号率の減少に関係なく、前記第１ＴＦＣＩ及び前記第２ＴＦＣＩの符号性能を維持することができる。以下、規則３に対して例を挙げて説明する。第１ＴＦＣＩと第２ＴＦＣＩの情報ビット率によって使用できる符号は、(９,３)符号及び(２３,７)符号、または、(１１,３)符号及び(２１,７)符号である。規則３を適用する時、(２３,７)符号の場合、２３個の符号シンボルのうち、２つの任意の符号化シンボルが伝送されないので、前記(２３,７)符号の実質符号率が(２１,７)になり、前記(１１,３)符号の場合、１１個の符号シンボルのうち、２つの任意の符号化シンボルが伝送されないので、前記(１１,３)符号の実質符号率が(９,３)になる。前記任意の符号化シンボルは、前記それぞれの符号の実質伝送率が減少されても実際符号性能が低下しないように選択されることができる。しかしながら、大部分の符号は符号性能が低下する。規則３を適用すると、前記符号の実際符号率が(９,３)または(２１,７)になるので、条件Ａ１の場合に、実質符号率１／３のＴＦＣＩ符号語の性能を満足する。しかしながら、前記ＴＦＣＩシンボルの数を増加させることは、前記第１ＴＦＣＩ符号または前記第２ＴＦＣＩ符号の性能を向上させるためであったが、前記符号化シンボルの数が増加した符号の性能を低下させる結果になる。規則３は、前記符号の性能を低下させない任意のシンボルを見つけることができる。規則２のように、規則３もマッピング方法が複雑である。前記マッピング方法を簡単にするために、符号化シンボルの数が増加した符号器から出力される符号化シンボルのうち最後の２つのシンボルをｄ３０(ｂ３０)及びｄ３１(ｂ３１)にマッピングする。
【００７０】
以下、規則４に対して例を挙げて説明する。第１ＴＦＣＩと第２ＴＦＣＩの情報ビット率によって使用できる符号は、(２３,７)符号及び(９,３)符号、または、(２１,７)符号及び(１１,３)符号である。前記(２１,７)符号及び前記(１１,３)符号は、第２ＴＦＣＩの符号率を高めるために使用され、前記(２３,７)符号及び前記(９,３)符号は、第１ＴＦＣＩの符号率を高めるために使用される。規則４を適用する時、前記(２３,７)符号の場合、２３個の符号シンボルのうち、最後の２つの符号化シンボルが伝送されないので、前記(２３,７)符号の実質符号率は(２１,７)になり、前記(９,３)符号の場合、符号率は変化しない。さらに、前記(２１,７)符号の場合、２１個の符号シンボルのうち、最後の２つの符号化シンボルが伝送されないので、前記(２１,７)符号の実質符号率が(１９,７)になり、前記(１１,３)符号の符号率は変化しない。規則４を適用すると、多数の符号語を有するそれぞれの符号器から出力される符号シンボルのうちで、最後の２つのシンボルまたは任意の２つのシンボルをｄ３０(ｂ３０)及びｄ３１(ｂ３１)にマッピングする。規則４において、長い符号語を有する符号の２つの符号化シンボルが伝送されないので、前記長い符号語を有する符号の性能は低下し、短い符号語を有する符号の性能は保障される。
【００７１】
以下、規則５に対して例を挙げて説明する。前記第１ＴＦＣＩと前記第２ＴＦＣＩの入力ビット率が３：７であり、前記第２ＴＦＣＩを伝送する符号語の性能が向上すると仮定する場合、(９,３)符号及び(２３,７)符号を使用することができる。規則５を適用すると、第２ＴＦＣＩを高い信頼度で伝送するために、前記(９,３)符号により出力される９個の符号シンボルで任意の２つの符号化シンボルを３０(ｂ３０)及びｄ３１(ｂ３１)にマッピングするので、実質符号率は(７,３)になる。規則５において、第１ＴＦＣＩ符号器の性能は低下するが、第２ＴＦＣＩ符号化シンボルが損傷されないので、前記第２ＴＦＣＩ符号語を安定に伝送することが可能になる。
【００７２】
規則１、規則２、規則３、及び規則４の説明において、条件Ａ１のケースのみに前記ｃｘ１及びｃｙ２を前記ｂｌにマッピングする。しかしながら、条件Ａ２、Ａ３、及びＡ４の場合に、前記３２個の符号化シンボル全てが伝送されるか、それとも前記３２個の符号化シンボルが繰り返されて伝送されるので、別のマッピング規則が必要なく、条件Ａ１に対して使用されたマッピング規則を同一に使用することができる。さらに、規則１、規則２、規則３、規則４、及び規則５は、それぞれの状況によって適切に使用されることができる。
【００７３】
ここで、本発明は、前記ｃｘ１及びｃｙ２シンボルを前記ｂｌにマッピングする方法の例を提示する。下記の例において、規則１に適用される方法及び第１ＴＦＣＩ符号化シンボル及び第２ＴＦＣＩ符号化シンボルができるだけ等間隔に配置されて時間伝送利得を得る方法は、他のマッピング方法にも適用されることができる。条件Ａ１において、前記ｃｘ１及びｃｙ２の最後の符号化シンボルは、前記ｂ３０またはｂ３１にマッピングされる。
【００７４】
本発明によって提示される符号器において、前記第１ＴＦＣＩ符号器または前記第２ＴＦＣＩ符号器の符号率を増加させる１６個の符号器は、実質符号率が１／３であっても、１／３の符号率で最適の性能を有するように設計される。
前記符号化シンボルｃｘ１及びｃｙ２を前記符号化ビットｂｌにマッピングする方法を説明する前に、前記第１ＴＦＣＩ符号化シンボルｃｘ１の総数をｎ(ここで、ｎ＝ｘ＋１)と定義し、前記第２ＴＦＣＩ符号化シンボルｃｙ２の総数をｍ(ここで、ｍ＝ｙ＋１)と定義する。説明の便宜のために、ｎはｍより小さいか、それとも同一の値であると、ｎとｍの和は３２であると仮定する。従って、ｎは、４、７、１０、１３、及び１６であり、ｍは、前記ｎ値に対して、２８、２５、２２、１９、及び１６になる。前記ｎ及びｍ値は、下記の＜数式１＞及び＜数式２＞によって定義される。
【００７５】
【数１１】
0003730195.tif 000007
【００７６】
＜数式１＞において、ｎは、前記第１ＴＦＣＩ符号化シンボルの総数を示し、ｉは、０≦ｉ≦ｎ−１(または、ｘ)である前記第１ＴＦＣＩ符号化シンボルのインデックスを示す。前記インデックスは、生成される順によって割り当てられる。＜数式１＞は、前記第１ＴＦＣＩ符号化シンボルがマッピングされるｂｌビットの位置を示す。＜数式１＞において、[ｘ]は、所定の値ｘを四捨五入した整数である。
【００７７】
＜数式２＞において、ｎは、前記第１ＴＦＣＩ符号化シンボルの総数を示し、ｍは、第２ＴＦＣＩ符号化シンボルの総数であり，ｉは、０≦ｉ≦ｍ−１(または、ｙ)である前記第２ＴＦＣＩ符号化シンボルのインデックスを示す。前記インデックスは、生成される順によって割り当てられる。＜数式２＞は、第２ＴＦＣＩ符号化シンボルがマッピングされるｂｌビットの位置を表現する。＜数式２＞において、
【００７８】
【数１２】
0003730195.tif 000008
は、所定の値ｘより小さいか、それとも同一である整数のうち最大の値である。
【００７９】
＜数式１＞によって第１ＴＦＣＩ符号化シンボルがマッピングされ、＜数式２＞によって第２ＴＦＣＩ符号化シンボルがマッピングされる。前記符号化シンボルの配置順序については、第１ＴＦＣＩ符号化シンボルが先に配置されることもでき、第２ＴＦＣＩ符号化シンボルが先に配置されることもできる。さらに、前記第１ＴＦＣＩ符号化シンボル及び前記第２ＴＦＣＩ符号化シンボルが同時に配置されることもできる。
【００８０】
前記第１ＴＦＣＩ符号化シンボルの総数が前記第２ＴＦＣＩ符号化シンボルの総数より大きい場合(ｎ＞ｍ)、＜数式２＞は、前記第１ＴＦＣＩ符号化シンボルのマッピングのために使用され、＜数式１＞は、前記２ＴＦＣＩ符号化シンボルのマッピングのために使用される。
【００８１】
以下、＜表６＞は、＜数式１＞及び＜数式２＞によって生成された符号化シンボルを示す。＜表６＞において、‘０’は、前記第１ＴＦＣＩ符号化シンボルｃｘ１が伝送される位置を示し、‘１’は、前記第２ＴＦＣＩ符号化シンボルｃｙ２が伝送される位置を示す。
【００８２】
【表６】
0003730195.tif 000009
【００８３】
＜表６＞は、前記第１ＴＦＣＩ符号化シンボル及び前記第２ＴＦＣＩ符号化シンボルの配置例を示す。＜表６＞によって生成された符号化シンボルを物理チャネルを通して伝送する位置を選定するために、前記条件Ａ１、Ａ２、Ａ３、及びＡ４において相違する方法を使用する。条件Ａ１の場合、ｂ３０またはｂ３１にマッピングされた前記符号化シンボルｃｘ１及びｃｙ２を穿孔した後、３０個のｂｌをビットｄｍにマッピングしてから伝送する。条件Ａ２の場合、前記Ａ１の場合にマッピングされた３２個のｂｌを順次に３回繰り返し、ｂ０からｂ２３までをもう一回繰り返した後、総１２０個のｄｍにマッピングしてから伝送する。条件Ａ３の場合、前記Ａ１の場合に配列された３２個のｂｌビットを前記伝送ビットｄｍの位置にマッピングしてから伝送する。条件Ａ４の場合は、前記Ａ１の場合にマッピングされた３２個のｂｌビットを４回繰り返した後、前記１２８個の伝送ビットｄｍの位置にマッピングしてから伝送する。
【００８４】
図６は、図２の符号化シンボル配置器２１０の詳細な構成を示す図である。図６を参照すると、参照番号６０１は、図２の符号器２００から出力される第１ＴＦＣＩ符号化シンボルｃｘ１であり、参照番号６１１は、図２の符号器２０５から出力される第２ＴＦＣＩ符号化シンボルｃｙ２である。貯蔵装置６０３及び６１３は、前記符号化シンボルｃｘ１及びｃｙ２を貯蔵する装置であり、メモリを使用して具現することができる。しかしながら、前記ハードウェア構成を変更することによって、前記第２ＴＦＣＩ符号化シンボル６０１及び前記第１ＴＦＣＩ符号化シンボル６１１を、前記貯蔵装置に前記符号化シンボルを貯蔵せず、直接スイッチ６２０に入力することができる。前記スイッチ６２０は、受信された符号選択情報によって前記貯蔵装置６０３及び６１３を交互にスイッチングする。前記貯蔵装置６０３及び６１３から出力される前記符号化シンボルｃｘ１及びｃｙ２を貯蔵装置６２１に貯蔵する。制御器６７０は、前記受信された符号化シンボルｃｘ１及びｃｙ２を＜表６＞によって配列する。前記シンボル配置は、ハードウェアまたはソフトウェアによって具現することができる。スイッチ６３０は、前記ＴＦＣＩ符号化シンボルの個数に関する情報、つまり、前記ｄｍビットに関する情報によって、前記貯蔵装置６２１に貯蔵されたｂｌビットを出力ノードまたは反復器６４０に出力する。つまり、前記スイッチ６３０は、前記条件Ａ１またはＡ３によってｄｍビットが３０または３２である場合、前記貯蔵装置６２１からのｂｌを前記出力ノードにスイッチングし、前記条件Ａ２またはＡ４によってｄｍが１２０または１２８である場合、前記貯蔵装置６２１からのｂｌを前記反復器６４０にスイッチングする。前記反復器６４０は、条件Ａ２またはＡ４によるｄｍを得るために、前記スイッチ６３０からの前記ｂｌビットを所定の回数繰り返す。前記反復器６４０は、前記条件Ａ２及びＡ４の場合に動作できる。前記反復器６４０は、前記制御器６７０の内部ソフトウェアによって具現されることもできる。
【００８５】
前記符号化シンボル配置器２１０によって＜表６＞の例に従って配置された前記ｂｌビットは、マルチプレクサ２２０に提供され、ＤＰＣＣＨを通して伝送されるＴＰＣビット及びパイロットビットのような物理情報、及びＤＰＤＣＨと時間的に多重化される。前記マルチプレクサ２２０は、図５に示す構造を有するＤＰＣＨを生成する。図５は、ノードＢからＵＥに伝送されるＤＰＣＨの構造を示す。
【００８６】
図５を参照すると、参照番号５１０は、１５個のスロットから構成されたラジオフレームの構造を示す。参照番号５２０は、ＤＰＤＣＨ及びＤＰＣＣＨが時分割されたダウンリンクチャネルのタイムスロットの構造を示す。つまり、前記タイムスロットは、前記ＤＰＤＣＨを構成する２つのデータフィールド５０１及び５０７、及び前記ＤＰＣＣＨを構成するＴＰＣフィールド５０３、ＴＦＣＩフィールド５０５、及びパイロットフィールド５０９から構成される。前記ＴＰＣフィールド５０３は、前記ＵＥから前記ノードＢにアップリンクチャネルに対するＴＰＣ命令を伝送するために使用され、前記パイロットフィールド５０９は、前記ＵＥによってダウンリンクチャネルの変化及び信号強度を推定するために使用される。さらに、前記ＴＦＣＩフィールド５０５は、前記符号化シンボル配置器２１０から出力されるＴＦＣＩ伝送シンボルｄｍを前記ＵＥに伝送するために使用される。
【００８７】
前記マルチプレクサ２２０から出力される前記ＤＰＣＨは、拡散器２３０に提供され、それと同時に、チャネル区分のための拡散符号が拡散符号生成器２３５から拡散器２３０に提供される。前記拡散器２３０は、前記ＤＰＣＨを前記拡散符号によってシンボル単位でチャネル拡散し、チップ単位で前記チャネル拡散されたＤＰＣＨを出力する。前記チャネル拡散されたＤＰＣＨは、スクランブラー２４０に提供され、それと同時に、スクランブリング符号発生器２４５から前記スクランブラー２４０にスクランブリング符号が提供される。前記チャネル拡散されたＤＰＣＨは、前記スクランブラー２４０によって前記スクランブリング符号でスクランブリングされる。
【００８８】
２．送信器の第２実施形態
図１３は、本発明の実施形態による送信器の構造を示す。図１３を参照すると、符号器１３０３及び１３１３は、それぞれ前記ＤＳＣＨのためのＴＦＣＩ情報ビット(第２ＴＦＣＩ情報ビット)及び前記ＤＣＨのためのＴＦＣＩ情報ビット(第１ＴＦＣＩ情報ビット)を符号化する。前記符号器１３０３及び前記符号器１３１３は、図４に示す符号器から穿孔器及び制御器を除いた形態の符号器である。前記符号器１３０３から出力された３２個の符号化シンボルは、第２ＴＦＣＩ符号化シンボル貯蔵装置１３０５に提供され、前記符号器１３１３から出力された３２個の符号化シンボルは、第１ＴＦＣＩ符号化シンボル貯蔵装置１３１５に提供される。前記第１ＴＦＣＩ符号化シンボル貯蔵装置１３１５及び前記第２ＴＦＣＩ符号化シンボル貯蔵装置１３０５は、同一のメモリを共有することができる。この場合、前記第１ＴＦＣＩ符号化シンボル及び前記第２ＴＦＣＩ符号化シンボルは、論理的に区別されるべきである。前記第２ＴＦＣＩ符号化シンボル貯蔵装置１３０５及び前記第１ＴＦＣＩ符号化シンボル貯蔵装置１３１５は、それぞれ制御器１３３０から受信された第２符号化シンボル選択情報１３３１及び第１符号化シンボル選択情報１３３３によって、貯蔵された３２個の符号化シンボルのうち選択された符号化シンボルをシンボル配置器１３５０に提供する。前記第２符号化シンボル選択情報１３３１及び前記第１符号化シンボル選択情報１３３３は、＜表５＞に示す穿孔パターンと同一の情報であり、前記穿孔パターンによる前記符号化シンボルの穿孔の代わりに、前記３２個の符号化シンボルのうち必要の符号化シンボルを選択するために使用される。前記第２ＴＦＣＩ符号化シンボル貯蔵装置１３０５及び前記第１ＴＦＣＩ符号化シンボル貯蔵装置１３１５の出力は、それぞれｃｙ２及びｃｘ１と同一である。前記シンボル配置器１３５０は、前記制御器１３３０から受信された符号化シンボル配置情報１３３５によって、＜表６＞に示す形態で受信された第２ＴＦＣＩ符号化シンボル及び第１ＴＦＣＩ符号化シンボルを配置する。前記シンボル配置器１３５０の出力は、ｂｌになる。図１３の制御器１３３０は、＜表５＞に示す穿孔パターン及び＜表６＞に示すシンボル配置パターンによって、それぞれシンボル貯蔵装置１３０５及び１３１５、及びシンボル配置器１３５１を制御して、図４、図６、及び図８に示す符号器及びシンボル選択器の出力と同一の出力を提供する。
【００８９】
図１９は、前記符号化シンボル配置器１３５０の詳細な構造を示す。図１９を参照すると、符号化シンボル配置器は、貯蔵装置１９０１、制御器１９１０、及びスイッチから構成される。前記貯蔵装置１９０１は、＜表６＞の形態で配置された第１ＴＦＣＩ符号化シンボル及び第２ＴＦＣＩ符号化シンボルを貯蔵する装置であり、前記制御器１９１０の制御によって第１ＴＦＣＩ符号化シンボル及び第２ＴＦＣＩ符号化シンボルを配置した後、前記ｂｌビットを順次に出力する。前記制御器１９１０は、前記スイッチを制御して前記第１ＴＦＣＩ符号化シンボル及び前記第２ＴＦＣＩ符号化シンボルを前記貯蔵装置１９０１に提供し、前記貯蔵装置１９０１を制御して＜表６＞の形態で第１ＴＦＣＩ符号化シンボル及び第２ＴＦＣＩ符号化シンボルを再配置する。図１９の制御器１９１０は、ソフトウェアによって具現することもできる。この場合、前記ソフトウェアは、アドレス制御器になることができる。さらに、前記シンボル配置器１３５０、前記第１ＴＦＣＩ符号化シンボル貯蔵装置１３１５、及び前記第２ＴＦＣＩ符号化シンボル貯蔵装置１３０５は、同一のメモリ内に具現することも、異なるメモリ内に具現することもできる。しかしながら、前記制御器１３３０は、ソフトウェアによって具現される時、シンボル配置器１３５０、第１ＴＦＣＩ符号化シンボル貯蔵装置１３１５、及び第２ＴＦＣＩ符号化シンボル貯蔵装置１３０５のメモリ上のアドレスを制御することで、ソフトウェアによって符号器及びシンボル配置器の動作を遂行する。
【００９０】
３．送信器の第３実施形態
図３は、本発明の第３実施形態による送信器の構造を示す。前記送信器は、第１ＴＦＣＩ情報ビット及び第２ＴＦＣＩ情報ビットを１つの符号器を使用して符号化する。
図３を参照すると、第２ＴＦＣＩビット３０１及び第１ＴＦＣＩビット３０３は、選別出力器３１０に入力される。前記選別出力器３１０は、制御器３３０からのＴＦＣＩ選択情報によって前記第２ＴＦＣＩビット３０１または前記第１ＴＦＣＩビット３０３を符号器３１１に選別して出力する。前記選別出力器３１０の詳細な構造は、図７に示す。図７を参照すると、前記第２ＴＦＣＩビット３０１は貯蔵装置７０３に提供され、前記第１ＴＦＣＩビット３０３は貯蔵装置７１３に提供される。前記貯蔵装置７０３及び７１３は、それぞれ前記第２ＴＦＣＩビット３０１及び前記第１ＴＦＣＩビット３０３を貯蔵する装置であり、メモリによって具現することができる。しかしながら、ハードウェア構成を変更することによって、前記第２ＴＦＣＩビット３０１及び前記第１ＴＦＣＩビット３０３を、前記貯蔵装置を使用せずに、直接スイッチ７２０に入力させることができる。前記スイッチ７２０は、受信された符号選択情報によって前記貯蔵装置７０３及び７１３に交互にスイッチングされる。前記スイッチ７２０から出力される前記第２ＴＦＣＩビット及び前記第１ＴＦＣＩビットは、前記符号器３１１に提供される。前記選別出力器３１０は、ソフトウェアによって具現することもできる。
【００９１】
前記符号器３１１は、図４の構造を有し、前記制御器３３０から受信される符号長さ情報によって前記選別出力器３１０からのＴＦＣＩビットを符号化する。前記制御器３３０は、ソフトウェアによって具現されることもできる。
【００９２】
前記符号器３１１から出力された前記符号化シンボルｃｘ１及びｃｙ２は、シンボル配置器３１２に提供され、＜表６＞に示す形態で配置される。前記シンボル配置器３１２の内部構造は、図８のようである。
【００９３】
図８を参照すると、貯蔵装置８０１は、制御器８１０の制御によって、受信されたＴＦＣＩ符号化シンボルを＜表６＞に示す形態で配置する。前記符号化シンボルｃｘ１またはｃｙ２のうち、先に受信されたＴＦＣＩ符号化シンボルは、他のＴＦＣＩ符号化シンボルが全部配置されるまで、前記貯蔵装置８０１内に貯蔵される。前記貯蔵装置８０１は、ｂｌビットをスイッチ８０３に提供する。前記スイッチ８０３は、ＴＦＣＩ符号化シンボル伝送個数に関する情報によって、前記貯蔵装置８０１からのＴＦＣＩ符号化シンボルをそのまま出力するか、それとも前記ＴＦＣＩ符号化シンボルを反復器８０５に出力する。前記反復器８０５は、前記物理チャネルを通して伝送される前記ＴＦＣＩ符号化シンボルｄｍの数の分だけ前記スイッチ８０３から提供されるＴＦＣＩ符号化シンボルを繰り返す。前記反復器８０５は、ソフトウェアによって同一の動作を遂行するように具現することができる。前記反復器８０５は、前記制御器８１０の内部ブロックとして具現されることも、別のブロックとして具現されることもできる。
【００９４】
前記シンボル配置器３１２から出力された前記ＴＦＣＩ符号化シンボルｄｍは、マルチプレクサ３１３に印加され、前記ＤＰＣＣＨを通して伝送されるＴＰＣ及びパイロットビットのような物理情報、及び前記ＤＰＤＣＨと時間的に多重化される。前記多重化されたＤＰＣＨは、図５に示す構造を有する。
【００９５】
前記ＤＰＣＨは、拡散器３１４に入力され、それと同時に、拡散符号生成器３１６によって生成された拡散符号が前記拡散器３１４に提供される。前記拡散器３１４は、チャネル区分のために前記ＤＰＣＨをシンボル単位で前記拡散符号によってチャネル拡散し、前記チャネル拡散されたＤＰＣＨをチップ単位で出力する。前記チャネル拡散されたＤＰＣＨは、スクランブラー３１５に提供され、それと同時に、スクランブリング符号発生器３１７によって生成されたスクランブリング符号が前記スクランブラー３１５に提供される。前記スクランブラー３１５は、前記チャネル拡散されたＤＰＣＨを前記スクランブリング符号でスクランブリングする。
【００９６】
４．送信器の第４実施形態
図１４は、本発明の第４実施形態による送信器の構造を示す。図１４の送信器は、１つの符号器を使用して第１ＴＦＣＩ情報ビット及び第２ＴＦＣＩ情報ビットを順次に符号化するという点で図１３の送信器と異なる。図１４を参照すると、第１ＴＦＣＩ情報ビットまたは第２ＴＦＣＩ情報ビットは、符号器１４０３に提供されて符号化された後、符号化シンボル貯蔵装置１４０５に提供される。前記符号化シンボル貯蔵装置１４０５は、制御器１４３０から受信された符号化シンボル選択情報１４０１、つまり、＜表５＞に示す穿孔パターンによって符号化シンボルを選択し、前記選択された符号化シンボルを符号選択器(または、符号配置器)１４５０に提供する。前記符号化シンボル貯蔵装置１４０５は、前記選択された第１ＴＦＣＩ符号化シンボルまたは第２ＴＦＣＩ符号化シンボルを直接に符号配置器１４５０に提供することができる。さらに、前記符号器１４０３が他のＴＦＣＩ符号化シンボルを受信し、前記符号化シンボル貯蔵装置１４０５が制御器１４３０からの前記符号化シンボル選択情報１４０１によって前記受信されたＴＦＣＩ符号化シンボルを選択し、２種類のＴＦＣＩ符号語を前記符号配置器１４５０に提供することもできる。図１４の符号選択器１４５０は、＜表６＞に示す形態で受信された前記符号化シンボルｃｘ１及びｃｙ２を前記ビットｂｌにマッピングする。さらに、符号化シンボル貯蔵装置、符号配置器、及び制御器は、ソフトウェアによって具現することができる。
【００９７】
５．送信器の第５実施形態
図１５は、本発明の第５実施形態による送信器の構造を示す。図１５の送信器は、他の送信とは異なって、ＴＦＣＩ符号化及びシンボル配置を同時に遂行する。
図１５の送信器の動作について、第２ＴＦＣＩビットが(４,１)の比率で符号化され、第１ＴＦＣＩが(２８,９)の比率で符号化され、前記符号化されたシンボルが前記ビットｂｌに配置される場合を例に挙げて説明する。
図１５を参照すると、基底符号語貯蔵器１５０１は、図４の符号器において使用された基底符号語Ｗ１、Ｗ２、Ｗ４、Ｗ８、Ｗ１６、Ｍ１、Ｍ２、Ｍ３、Ｍ４、及び全て１のシーケンスを貯蔵する。前記基底符号語貯蔵器１５０１において、横軸は、長さ３２の基底符号語を示し、縦軸は、それぞれの基底符号語のシンボルを示す。制御器１５１０は、第２ＴＦＣＩ情報ビット１５１１、第１ＴＦＣＩ情報ビット１５１３、ＴＦＣＩ符号化シンボル選択情報１５１５、及びＴＦＣＩ符号化シンボル配置情報１５１７を受信し、前記基底符号語貯蔵器１５０１を制御して(４,１)符号及び(２８,９) 符号を生成し、前記符号を時間伝送利得を得ることができるように配列する。
【００９８】
前記第２ＴＦＣＩ情報ビット１５１１をａ０２と定義し、前記第１ＴＦＣＩ情報ビット１５１３をａ０１、ａ１１、ａ２１、ａ３１、ａ４１、ａ５１、ａ６１、ａ７１、ａ８１と定義すると、前記制御器１５１０は、＜表６＞のＴＦＣＩ符号化シンボル配置情報１５１７、つまり、ｃ０１、ｃ１１、ｃ２１、ｃ３１、ｃ４１、ｃ５１、ｃ６１、ｃ７１、ｃ８１、ｃ９１、ｃ１０１、ｃ１１１、ｃ１２１、ｃ１３１、ｃ１４１、ｃ１５１、ｃ１６１、ｃ１７１、ｃ１８１、ｃ１９１、ｃ２０１、ｃ２１１、ｃ２２１、ｃ２３１、ｃ２４１、ｃ２５１、ｃ２６１、ｃ２７１、及びｃ３２によって７つの第１ＴＦＣＩ符号化シンボル及び１つの２ＴＦＣＩ符号化シンボルを生成する動作を４回繰り返す。
【００９９】
前記第１ＴＦＣＩ符号化シンボル及び前記第２ＴＦＣＩ符号化シンボルは、前記受信されたＴＦＣＩ情報ビットａ０１、ａ１１、ａ２１、ａ３１、ａ４１、ａ５１、ａ６１、ａ７１、ａ８１、及びａ０２によって異なる基底符号語を使用する。前記入力ビットが‘０’であるか‘１’であるかによって前記選択された基底符号語の使用が決定され、前記シンボルは、＜表５＞の穿孔パターンによって選択される。
【０１００】
前記第１ＴＦＣＩ符号化シンボルに対して９つの第１ＴＦＣＩ入力ビットが受信されるので、前記基底符号語貯蔵器１５０１は、基底符号語Ｗ１、Ｗ２、Ｗ４、Ｗ８、Ｗ１６、全て１のシーケンス、Ｍ１、Ｍ２、及びＭ４を生成する。前記第２ＴＦＣＩ符号化シンボルに対しては１つの第２ＴＦＣＩ入力ビットが受信されるので、前記基底符号語貯蔵器１５０１は、基底符号語Ｗ１のみを生成する。前記第１ＴＦＣＩ符号化シンボルは、{1,1,1,1,1,1,0,1,1,1,0,0,1,0,1,1,1,1,1,1,1,1,1,1,1,1,1,1,1,1,1,1}の穿孔パターンを有し、前記第２ＴＦＣＩシンボルは，{1,0,1,0,1,0,1,0,0,0,0,0,0,0,0,0,0,0,0,0,0,0,0,0,0,0,0,0,0,0,0,0}の穿孔パターンを有する。
【０１０１】
前記基底符号語貯蔵器１５０１は、前記第２ＴＦＣＩ符号化シンボルを生成するために、前記基底符号語Ｗ１の０、２、４、６番目のシンボルを選択する。前記基底符号語貯蔵器１５０１は、前記第１ＴＦＣＩ符号化シンボルを生成するために、基底符号語Ｗ１、Ｗ２、Ｗ４、Ｗ８、Ｗ１６、全て１のシーケンス、Ｍ１、Ｍ２、及びＭ４を排他的加算し、その結果の符号語のうち６、１０、１１、及び１３番目のシンボルを除いたシンボルを選択する。
【０１０２】
(４,１)符号及び(２８,９)符号を同時に生成する例によって、図１５のＴＦＣＩ符号器及びシンボル配置器の動作を説明する。さらに、異なる種類の符号語を生成する方法においては、入力される符号ビットの数によって使用される基底符号語の種類を決定し、＜表６＞の符号化シンボル配置パターンを使用して前記符号化シンボルの生成順序を決定する。さらに、前記順序及び前記入力される符号ビットの値によって前記基底符号語を排他的加算し、＜表５＞の穿孔パターンによって前記符号化シンボルを選択する。符号化シンボル貯蔵装置１５３０は、基底符号貯蔵装置１５０１から出力された値を貯蔵する。図１５の送信器も、図１３及び図１４の送信器のように、ソフトウェアによって具現することができる。
【０１０３】
６．受信器の第１実施形態
図９は、本発明の実施形態による図３及び図４に示す送信器に対応する受信器の構造を示す。図９を参照すると、ダウンリンクＤＰＣＨはデスクランブラー９４０に入力され、それと同時に、スクランブリング符号発生器９４５によって生成されたスクランブリング符号が前記デスクランブラー９４０に入力される。前記デスクランブラー９４０は、前記入力されたダウンリンクＤＰＣＨを前記スクランブリング符号でデスクランブリングする。前記デスクランブリングされたダウンリンクＤＰＣＨは逆拡散器９３０に入力され、それと同時に、拡散符号生成器９３５によって生成された拡散符号が前記逆拡散器９３０に入力される。前記逆拡散器９３０は、前記デスクランブリングされたダウンリンクＤＰＣＨを前記拡散符号によってシンボル単位で逆拡散する。
【０１０４】
前記逆拡散されたＤＰＣＨシンボルは、デマルチプレクサ９２０に提供され、ＤＰＤＣＨ、ＴＰＣ、及びパイロットビットのようなその他の信号及びＴＦＣＩ符号化シンボルに逆多重化(分離)される。前記ＴＦＣＩ符号化シンボルは、符号化シンボル再配置器９１０に提供される。前記符号化シンボル再配置器９１０は、符号長さ情報及び位置情報によって前記ＴＦＣＩ符号化シンボルをＤＳＣＨのための符号化シンボル(第２ＴＦＣＩ情報シンボル)及びＤＣＨのための符号化シンボル(第１ＴＦＣＩ情報シンボル)に分離する。前記符号長さ情報は、前記ＤＳＣＨのためのＴＦＣＩビットと前記ＤＣＨのためのＴＦＣＩビットの比率による符号長さ制御情報である。前記位置情報は、＜表６＞に示す前記ＤＳＣＨのための符号化シンボルの位置及び前記ＤＣＨのための符号化シンボルの位置を示す情報である。前記符号化シンボル再配置器９１０によって分離された前記第２ＴＦＣＩ符号化シンボル及び前記第１ＴＦＣＩ符号化シンボルは、それぞれ第１復号器９００及び第２復号器９０５に入力される。前記復号器９００及び９０５は、前記符号長さ情報によってそれぞれ対応する符号を決定し、前記決定された符号によって前記第２ＴＦＣＩ符号化シンボル及び前記第２ＴＦＣＩ符号化シンボルを復号する。つまり、前記第１復号器９００は、前記第２ＴＦＣＩ符号化シンボルを復号して第２ＴＦＣＩビット(ＤＳＣＨのためのＴＦＣＩビット)を出力する。前記第２復号器９０５は、前記第１ＴＦＣＩ符号化シンボルを復号して第１ＴＦＣＩビット(ＤＣＨのためのＴＦＣＩビット)を出力する。
【０１０５】
図１８Ａ及び図１８Ｂは、本発明の他の実施形態による前記符号化シンボル再配置器９１０の詳細な構成を示す。図１８Ａを参照すると、前記符号化シンボル配置器は、貯蔵装置１８０１、制御器１８１０、及びスイッチから構成される。前記貯蔵装置１８０１は、前記デマルチプレクサ９２０から受信されたＴＦＣＩ符号化シンボルを貯蔵する装置であり、前記制御器１８１０の制御によって、第１ＴＦＣＩ符号化シンボル及び第２ＴＦＣＩ符号化シンボルを区別する。前記制御器１８１０は、前記貯蔵装置１８０１及び前記スイッチを制御して、前記第１ＴＦＣＩ符号化シンボル及び前記第２ＴＦＣＩ符号化シンボルをそれぞれ復号器９００及び９０５に出力する。さらに、１つの復号器を使用する場合、前記制御器１８１０は、２種類のＴＦＣＩ符号化シンボルを区別して前記１つの復号器に提供する。前記制御器１８１０は、ソフトウェアによって具現することができる。この場合、前記ソフトウェアは、アドレス制御器になることができる。
【０１０６】
図１８Ｂを参照すると、前記符号化シンボル配置器は、貯蔵装置１８２１、制御器１８２０、マスク生成器１８３０、乗算器１８１５、及び乗算器１８１７から構成される。前記貯蔵装置１８２１は、図１８Ａに示す貯蔵装置１８０１と同一の動作を遂行する。前記制御器１８２０は、前記貯蔵装置１８２１を制御して前記デマルチプレクサ９２０からのＴＦＣＩ符号化シンボルを前記第１乗算器１８１５及び前記第２乗算器１８１７に提供する。さらに、前記制御器１８２０は、前記マスク生成装置１８３を制御して第１ＴＦＣＩ符号化シンボル及び第２ＴＦＣＩ符号化シンボルを区別するためのマスクを生成する。前記マスク生成装置１８３０によって生成されたマスクは、前記第１乗算器１８１５及び前記第２乗算器１８１７に入力される。前記第１乗算器１８１５は、前記貯蔵装置１８２１からのＴＦＣＩ符号化シンボルを対応するマスクと乗算して第１ＴＦＣＩ符号化シンボルを出力する。前記第２乗算器１８１７は、前記貯蔵装置１８２１からのＴＦＣＩ符号化シンボルを対応するマスクと乗算して第２ＴＦＣＩ符号化シンボルを出力する。前記マスク生成装置１８３０は、＜表６＞に示す第１ＴＦＣＩ符号化シンボル及び第２ＴＦＣＩ符号化シンボルのシンボル配置パターンをマスクの形態で貯蔵するか、それとも＜数式１＞及び＜数式２＞を利用してマスクを生成する。前記マスクは、前記デマルチプレクサ９２０からのＴＦＣＩ符号化シンボルを第１ＴＦＣＩ符号化シンボルと第２ＴＦＣＩ符号化シンボルに分離する。それぞれの前記乗算器１８１５及び１８１７が２種類のＴＦＣＩ符号化シンボルを出力することができる場合、前記２つの乗算器のいずれか１つのみを使用して前記第１ＴＦＣＩ符号化シンボルと前記第２ＴＦＣＩ符号化シンボルを分離する。
【０１０７】
図１１は、図９に示す復号器９００及び９０５の詳細な構造を示す。図１１を参照すると、受信されたシンボルｒ(ｔ)は０挿入器１１００に提供され、それと同時に、符号長さ情報が制御器１１３０に提供される。前記制御器１１３０は、前記符号長さ情報に基づいて穿孔位置を決定し、前記決定された穿孔位置に対する制御情報を前記０挿入器１１００に提供する。前記符号長さ情報は、前記符号器において使用された符号の長さまたは符号率を示し、前記制御情報は、穿孔位置を示す。前記穿孔位置は、前記符号器から受信されるビットに対応して所望する符号化シンボルの長さを得るために除去されたシンボルの位置を示す。＜表７＞は、前記符号長さに対応して貯蔵される穿孔位置を示す。
【０１０８】
【表７】
0003730195.tif 000010
【０１０９】
＜表７＞においては、前記符号長さ情報が前記符号器において使用された符号率を示すと仮定する。前記符号率(ｋ,ｎ)は、ｎビットの入力ビットがｋ個の符号化シンボルに符号化されることを意味し、前記受信されたシンボルは、ｋの符号長さを有する。さらに、＜表７＞のＦ＿ｎは、ｎ個の穿孔位置を示す。＜表７＞から分かるように、前記制御情報(穿孔位置)は、前記受信されたシンボルの符号長さに関係なく、前記０挿入器１１００が出力シンボルの個数(３２)を維持することを可能にする。
【０１１０】
＜表７＞を参照すると、前記制御器１１３０は、符号率(３,１)の場合は２９個の穿孔位置に対する情報を、符号率(４,１)の場合は２８個の穿孔位置に対する情報を、符号率(５,１)の場合は２７個の穿孔位置に対する情報を、符号率(６,２)の場合は２６個の穿孔位置に対する情報を、符号率(７,２)の場合は２５個の穿孔位置に対する情報を、符号率(８,２)の場合は２４個の穿孔位置に対する情報を、符号率(９,３)の場合は２３個の穿孔位置に対する情報を、符号率(１０,３)の場合は２２個の穿孔位置に対する情報を、符号率(１１,９)の場合は２１個の穿孔位置に対する情報を、符号率(１２,４)の場合は２０個の穿孔位置に対する情報を、符号率(１３,４)の場合は１９個の穿孔位置に対する情報を、符号率(１４,４)の場合は１８個の穿孔位置に対する情報を、符号率(１８,６)の場合は１４個の穿孔位置に対する情報を、符号率(１９,６)の場合は１３個の穿孔位置に対する情報を、符号率(２０,６)の場合は１２個の穿孔位置に対する情報を、符号率(２１,７)の場合は１１個の穿孔位置に対する情報を、符号率(２２,７)の場合は１０個の穿孔位置に対する情報を、符号率(２３,７)の場合は９個の穿孔位置に対する情報を、符号率(２４,８)の場合は８個の穿孔位置に対する情報を、符号率(２５,８)の場合は７個の穿孔位置に対する情報を、符号率(２６,８)の場合は６個の穿孔位置に対する情報を、符号率(２７,９)の場合は５個の穿孔位置に対する情報を、符号率(２８,９)の場合は４個の穿孔位置に対する情報を符号率(２９,９)の場合は３個の穿孔位置に対する情報を出力する。前述したそれぞれのケースに対して、前記穿孔位置は、前記符号器の説明において提示された通りである。
【０１１１】
前記０挿入器１１００は、前記制御情報によって前記受信シンボルの穿孔位置に０を挿入した後、長さ３２のシンボル列(symbol stream)を出力する。前記シンボル列は、逆アダマール変換器(Inverse Fast Hadamard Transformer: 以下、ＩＦＨＴと称する)１１２０及び乗算器１１０２、１１０４、及び１１０６に入力される。前記乗算器１１０２、１１０４、１１０６に入力された前記シンボル列は、それぞれマスク生成器１１１０から生成されたマスク関数(mask function)Ｍ１、Ｍ２、及びＭ１５と乗算される。前記乗算器１１０２、１１０４、１１０６の出力シンボルは、それぞれ対応するスイッチ１１５２、１１５４、及び１１５６に入力される。これと同時に、前記制御器１１３０は、前記符号長さ情報によって前記マスク関数を使用するかどうかを示すスイッチ制御情報を前記スイッチ１１５２、１１５４、及び１１５６にそれぞれ出力する。例えば、(３,１)、(４,１)、(５,１)、(６,２)、(７,２)、(８,２)、(９,３)、(１０,３)、(１１,３)、(１２,４)、(１３,４)、(１４,４)、(１８,６)、(１９,６)、及び(２０,６)符号器は、マスク関数を使用しないので、前記スイッチ制御情報によって前記スイッチ１１５２、１１５４、及び１１５６は全部連結を断つ。しかしながら、(２１,７)、(２２,７)、(２３,７)符号器は１つの基底マスク関数(basis mask function)を使用するので、前記スイッチ１１５２のみが連結される。前述したように、前記制御器９３０は、前記符号率に基づいて使用されるマスク関数の個数によって前記スイッチ１１５２、１１５４、及び１１５６を制御する。そうすると、前記ＩＦＨＴ１１２０、１１２２、１１２４、及び１１２６は、前記０挿入器１１００から受信された３２個のシンボルに対して逆アダマール変換を遂行し、前記シンボルと前記送信装置において使用できる全てのウォルシュ符号との相関度を計算する。さらに、前記ＩＦＨＴは、前記計算された相関度のうち最高の相関度及び前記最高の相関度を有するウォルシュ符号のインデックスを決定する。従って、前記ＩＦＨＴ１１２０、１１２２、１１２４、及び１１２６は、前記受信された信号と乗算された前記マスク関数のインデックス、前記最高の相関度、及び前記最高の相関度を有するウォルシュ符号のインデックスを相関度比較器１１４０に提供する。前記ＩＦＨＴ１１２０に提供される信号は、どのマスク関数とも乗算されないので、前記マスク関数の識別子は‘０’になる。前記相関度比較器１１４０は、前記ＩＦＨＴから提供された相関度を比較することによって最高の相関度を決定し、前記最高の相関度を有するマスク関数のインデックスと前記ウォルシュ符号のインデックスを結合する。
【０１１２】
７．受信器の第２実施形態
図１０は、本発明の他の実施形態による図３及び図４に示す送信器に対応する受信器の構造を示す。図１０を参照すると、ダウンリンクＤＰＣＨはデスクランブラー１０４０に入力され、それと同時に、スクランブリング符号発生器１０４５によって生成されたスクランブリング符号が前記デスクランブラー１０４０に入力される。前記デスクランブラー１０４０は、前記ダウンリンクＤＰＣＨを前記スクランブリング符号でデスクランブリングする。前記デスクランブリングされたダウンリンクＤＰＣＨは逆拡散器１０３０に入力され、それと同時に、拡散符号生成器１０３５によって生成された拡散符号が前記逆拡散器１０３０に入力される。前記逆拡散器１０３０は、前記デスクランブリングされたダウンリンクＤＰＣＨを前記拡散符号によってシンボル単位で逆拡散する。
【０１１３】
前記逆拡散されたＤＰＣＨシンボルはデマルチプレクサ１０２０に入力され、前記デマルチプレクサ１０２０は、前記逆拡散されたＤＰＣＨシンボルをＤＰＤＣＨ、ＴＰＣ、パイロットビットのような他の信号とＴＦＣＩ符号化シンボルに逆多重化(分離)する。前記ＴＦＣＩ符号化シンボルは、符号化シンボル再配置器１０１０に入力される。前記符号化シンボル再配置器１０１０は、符号長さ情報及び位置情報によって、前記入力されたＴＦＣＩ符号化シンボルを前記ＤＳＣＨのための符号化シンボル(第２ＴＦＣＩ情報シンボル)及び前記ＤＣＨのための符号化シンボル(第１ＴＦＣＩ情報シンボル)に分離する。前記符号長さ情報は、前記ＤＳＣＨのためのＴＦＣＩビットと前記ＤＣＨのためのＴＦＣＩビットの比率による符号長さ制御情報である。前記位置情報は、＜表６＞に示すＤＳＣＨのための符号化シンボルの位置及びＤＣＨのための符号化シンボルの位置を示す情報である。
【０１１４】
前記符号化シンボル再配置器１０１０は、図１８Ａ及び図１８Ｂに示すような構造を有する。図１８Ａ及び図１８Ｂのような構造を使用すると、前記符号化シンボル再配置器１０１０は、前記第１ＴＦＣＩ符号化シンボル及び前記第２ＴＦＣＩ符号化シンボルを区別して順次に出力すべきである。前記分離された第２ＴＦＣＩ符号化シンボル及び前記第１ＴＦＣＩ符号化シンボルは、順次に復号器１０００に入力される。前記復号器１０００は、符号長さに対する制御情報(符号長さ情報)に対応する符号によって前記第１ＴＦＣＩ符号化シンボルまたは前記２ＴＦＣＩ符号化シンボルを復号する。従って、前記復号器１０００は、第１ＴＦＣＩビットまたは第２ＴＦＣＩビットを出力する。前記復号器１０００の動作は、図１１に示す復号器の動作と同一である。
【０１１５】
さらに、本発明は、多様な長さの符号を符号化する符号器に対応して、それぞれの情報ビット率に対する復号化の遂行ができる復号器を提供する。
【０１１６】
以下、本発明の実施形態による復号器の動作に関して説明する。(６,２)、(７,２)、及び(８,２)符号器に対応する復号器として動作する時、前記復号器は、長さ４のウォルシュ符号器に対するＩＦＨＴを使用する。(９,３)、(１０,３)、及び(１１,３)符号器に対応する復号器として動作する時、前記復号器は、長さ８のウォルシュ符号器に対するＩＦＨＴを使用する。(１２,４)、(１３,４)、及び(１４,４)符号器に対応する復号器として動作する時、前記復号器は、長さ１６のウォルシュ符号器に対するＩＦＨＴを使用する。(１６,５)符号器に対応する復号器として動作する時、前記復号器は、長さ１６のウォルシュ符号器に対するＩＦＨＴを使用する。(１８,６)、(１９,６)、(２０,６)、(２１,７)、(２２,７)、(２３,７)、(２４,８)、(２５,８)、(２６,８)、(２７,９)、(２８,９)、(２９,９)、及び(３２,１０)符号器に対応する復号器として動作する時、前記復号器は、長さ３２のウォルシュ符号器に対するＩＦＨＴを使用する。前記のような動作のために、前記復号器は、可変の長さを有する符号を支援できるＩＦＨＴ構造を有するべきであり、本発明は、可変の長さを有する符号を支援できるＩＦＨＴ構造を有する復号器を提供する。
【０１１７】
８．実施形態の動作
以下、図１６及び図１７を参照して、符号器、復号器、シンボル配置器、及びシンボル再配置器の動作を説明する。
図１６は、本発明の実施形態による符号器及び符号化シンボル配置器の動作を説明する。図１６を参照すると、段階１６０１で、前記送信器は、ＨＳＭ(Hard Split mode)において第１ＴＦＣＩビット(ＤＣＨのためのＴＦＣＩ情報ビット)及び第２ＴＦＣＩビット(ＤＳＣＨのためのＴＦＣＩ情報ビット)の符号化を決定する。段階１６０２で、前記符号器は、前記第１ＴＦＣＩ符号化ビット及び第２ＴＦＣＩ符号化ビットを受信する。段階１６０３で、前記符号器は、本発明による方法によって、第１ＴＦＣＩ符号化ビット(３２個の符号化シンボル)及び第２ＴＦＣＩ符号化ビット(３２個の符号化シンボル)を符号化する。段階１６０４で、前記符号化シンボル配置器は、第１ＴＦＣＩ符号化シンボルのうち最適の性能を有する符号化シンボルを符号選択パターンによって選択し、さらに、第２ＴＦＣＩ符号化シンボルのうち最適の性能を有する符号化シンボルを符号選択パターンによって選択する。前記符号選択パターンは、＜表５＞に示す穿孔パターンと同一である。段階１６０５で、前記符号化シンボル配置器は、前記選択された第１ＴＦＣＩ符号化シンボル及び第２ＴＦＣＩ符号化シンボルを最適の時間伝送利得(Time Diversity gain)を得るためのシンボル配置パターンによって配置する。前記シンボル配置パターンは、＜表６＞に示すようである。図１５に関連して説明したように、段階１６０３、１６０４、及び１６０５の動作は、１つの過程で遂行することもできる。段階１６０５の後、前記ｂｌビットは、段階１６０６で最終的に決定され、符号化及びシンボル配置過程を終了する。
【０１１８】
図１７は、本発明の実施形態による受信器における復号器及び符号化シンボル配置器の動作を示す。図１７を参照すると、段階１７０１で、前記受信器は、ダウンリンクＤＰＣＨのダウンリンクＤＰＣＣＨ内のＴＦＣＩフィールドを通して伝送されるＴＦＣＩ符号化シンボルを受信する。段階１７０２で、前記復号器は、第２ＴＦＣＩ符号化シンボルの位置情報によって、前記受信されたＴＦＣＩ符号化シンボルのうち第２ＴＦＣＩ符号化シンボルの位置に０を挿入し、３２個の符号化シンボルを有する第１ＴＦＣＩ符号語を生成する。さらに、前記復号器は、第１ＴＦＣＩ符号化シンボルの位置情報によって前記受信されたＴＦＣＩ符号化シンボルのうち第１ＴＦＣＩ符号化シンボルの位置に０を挿入し、３２個の符号化シンボルを有する第２ＴＦＣＩ符号語を生成する。図１８Ａ及び図１８Ｂに関連して説明したように、マスクを利用して前記第１ＴＦＣＩ符号化シンボルと前記第２ＴＦＣＩ符号化シンボルを区別することができる。前記第１ＴＦＣＩ符号化シンボル及び前記第２ＴＦＣＩ符号化シンボルの位置情報は、図１６の段階１６０４で使用されたパターンと同一である。穿孔または選択されなかったシンボルの位置に０を挿入する理由は、前記復号器の正しい動作を保障するためである。段階１７０３で、前記復号器は、前記生成された第１ＴＦＣＩ符号語及び第２ＴＦＣＩ符号語の相関度を計算する。段階１７０４で、前記復号器は、最大の相関度を有する第１ＴＦＣＩ符号語及び第２ＴＦＣＩ符号語の値またはインデックスを出力する。段階１７０５で、前記復号器は、第１ＴＦＣＩ符号語及び第２ＴＦＣＩ符号語の復号過程を完了する。
【０１１９】
以上、ＨＳＭにおいて第１ＴＦＣＩ情報ビットの数と第２ＴＦＣＩ情報ビットの数との和が１０である場合の符号化方法、ｃｘ１及びｃｙ２をｂｌビットにマッピングする方法、及びｂｌビットをｄｍビットにマッピングする方法を説明した。さらに、送受信器、符号器、及び復号器の動作に関して説明した。従来には、第１ＴＦＣＩ情報ビットの数と第２ＴＦＣＩ情報ビットの数との和が１０より小さい場合、ＬＳＭは使用できるが、ＨＳＭは使用できなかった。つまり、第１ＴＦＣＩ情報ビットの数及び第２ＴＦＣＩ情報ビットの数が両方とも５より小さい時のみに、前記ＨＳＭが使用できる。従来には、前記ＨＳＭにおいて(１６,５)符号器のみを使用した。従って、第１ＴＦＣＩ情報ビットの数が５より大きいか、それとも第２ＴＦＣＩ情報ビットの数が５より大きい場合、前記ＨＳＭは使用できなかった。しかしながら、本発明による２４種類の符号が生成できる符号器を使用する場合、前記ＴＦＣＩ情報ビットの数に条件がないので、前記ＴＦＣＩ情報ビットの信頼性のある伝送ができるようになる。つまり、前記ＴＦＣＩ情報ビットをどの符号で符号化するかを決定することができる。従って、第１ＴＦＣＩ符号または第２ＴＦＣＩ符号を別に、それとも第１ＴＦＣＩ符号及び第２ＴＦＣＩ符号を同時に、信頼度を高めて伝送することもできる。
【０１２０】
前記符号器が図４の構造を有し、＜表４＞の穿孔パターンを使用すると仮定して、本発明を詳細に説明する。本発明は、前記符号器が他の構造を有し、他の穿孔パターンを使用する場合にも適用することができる。
【０１２１】
例１．第１ＴＦＣＩ情報ビットと第２ＴＦＣＩ情報ビットとの比率が２：６である場合
前記第１ＴＦＣＩ情報ビットと第２ＴＦＣＩ情報ビットの比率が２：６である場合、従来のＨＳＭ方法は、前記第１ＴＦＣＩ情報ビットを符号化して伝送することができるが、前記第２ＴＦＣＩ情報ビットは符号化して伝送することができない。しかしながら、本発明による符号器を使用する場合、前記第１ＴＦＣＩ情報ビットは、６シンボル、７シンボル、または８シンボルに符号化され、前記第２ＴＦＣＩ情報ビットは、１８シンボル、１９シンボル、または２０シンボルに符号化される。本発明による符号器によって符号化された第１ＴＦＣＩ符号化シンボルと第２ＴＦＣＩ符号化シンボルとの和は、最小２４になり、最大２８になる。前記和が基本符号化シンボルの数である３２より小さい場合、シンボルを処理する最も単純な方法は、不連続伝送区間(Discontinuous Transmission: 以下、ＤＴＸと称する)によって２４シンボルまたは２８シンボルのみを伝送することである。この方法は、簡単な伝送方法であるが、前記ＤＴＸ区間で他の情報を伝送することができないので、資源浪費の結果になる。さらに、前記符号化シンボルの伝送休止区間のため、前記第１ＴＦＣＩ情報ビット及び前記第２ＴＦＣＩ情報ビットの符号化性能をもっと高めることができない。
【０１２２】
例１において、第１ＴＦＣＩに優先権を与えて信頼度または性能を高めるか、第２ＴＦＣＩに優先権を与えて信頼度または性能を高めるか、または、第１ＴＦＣＩ及び第２ＴＦＣＩの両方の性能を高めるかによって、符号化方法が変化する。
【０１２３】
前記第１ＴＦＣＩに優先権を与えて信頼度または性能を高める場合、前記第２ＴＦＣＩ情報ビットは、(１８,６)符号器、(１９,６)符号器、または(２０,６)符号器を使用して符号化され、前記第１ＴＦＣＩ情報ビットは、(１４，４)符号器、(１３,４)符号器、または(１２,４)符号器を使用して符号化される。さらに、第１ＴＦＣＩ情報ビットを(６,２)符号器、(７,２)符号器、または(８,２)符号器によって符号化してから繰り返して伝送することによって、性能または信頼度を高める方法がある。前記第１ＴＦＣＩ情報ビットを(１４,４)符号器、(１３,４)符号器、または(１２,４)符号器を使用して符号化することによって第１ＴＦＣＩ符号の性能または信頼度を高める方法において、２ビットの実質的な情報ビットを除いた残りの２ビットに０が挿入されて符号化される。前記第１ＴＦＣＩを繰り返した後、前記繰り返された第１ＴＦＣＩ符号化シンボルと第２ＴＦＣＩ符号化シンボルの和が３２より大きい値になることができる。前記繰り返された第１ＴＦＣＩ符号化シンボルと第２ＴＦＣＩ符号化シンボルの和が３２を超過する場合、前記システムは３ＧＰＰ標準と互換できなくなるので、ハードウェアの複雑度が増加する。逆に、例１のように前記第１ＴＦＣＩ符号化シンボルと第２ＴＦＣＩ符号化シンボルの和が３２より小さい場合、 前記第１ＴＦＣＩ情報ビットと前記第２ＴＦＣＩ情報ビットの和が１０である場合に比べて符号選択の制限が低減する。つまり、第１ＴＦＣＩ情報ビットと第２ＴＦＣＩ情報ビットの和が１０である場合、前記符号化シンボルの和が３２である符号を選択する必要がある。しかしながら、例１のように与えられた情報ビットのために最大の符号率を使用しても前記符号化シンボルの和が３２より小さい場合、前記ＴＦＣＩ情報ビットの符号率は、前記符号化シンボルの和が３２になる条件内で性能が改善されるように決定されることができる。
【０１２４】
一方、例１において、前記第２ＴＦＣＩに優先権を与えて信頼度または性能を高める場合、前記第１ＴＦＣＩ情報ビットは、(６,２)符号器、(７,２)符号器、または(８,２)符号器を使用して符号化され、前記第２ＴＦＣＩ情報ビットは、(２６,８)符号器、(２５,８)符号器、または(２４,８)符号器を使用して符号化される。さらに、(２０,６)符号器、(１９,６)符号器、または(１８,６)符号器を使用して前記情報ビットを符号化してから前記符号化ビットを繰り返して伝送することによって、信頼度または性能を高めることができる。前記第２ＴＦＣＩを繰り返した後、前記第１ＴＦＣＩ符号化シンボルと前記繰り返された第２ＴＦＣＩ符号化シンボルの和が３２より大きくなることができる。しかしながら、前記第１ＴＦＣＩ符号化シンボルと前記第２ＴＦＣＩ符号化シンボルの和が３２より大きくなる場合、前記システムは、３ＧＰＰ標準と互換できなくなる。
【０１２５】
例１において、第１ＴＦＣＩ及び第２ＴＦＣＩの両方の信頼度または性能を改善する方法は、第１ＴＦＣＩ情報ビットの数を３に増加させ、第２ＴＦＣＩ情報ビットの数を７に増加させて符号化する。つまり、第１ＴＦＣＩ情報ビットを(９,３)符号器、(１０,３)符号器、または(１１,３)符号器によって符号化し、第２ＴＦＣＩ情報ビットを(２３,７)符号器、(２２,７)符号器、または、(２１,７)符号器によって符号化して伝送する。この方法は、前記符号化シンボルの和が３２より大きい時のみに使用されることができる。前記符号化シンボルの和が３２より大きい場合、前述したような問題点が発生する。他の方法は、第１ＴＦＣＩ情報ビットを(６,２)符号器、(７,２)符号器、または(８,２)符号器によって符号化し、第２ＴＦＣＩ情報ビットを(１８,６)符号器、(１９,６)符号器、(２０,６)符号器によって符号化して、前記符号化ビットを繰り返して伝送する方法である。前記繰り返して伝送される符号化シンボルの和は、３２を超過してはいけない。前記第１ＴＦＣＩ情報ビットを符号化する符号器は３種類があり、前記第２ＴＦＣＩ情報ビットを符号化する符号器も３種類がある。前記符号器のうち、最高の性能を有する符号器が選択される。この時、前記符号器によって繰り返されるシンボルの数については、前記選択された符号器のシンボルをより多く繰り返して伝送することができる。
【０１２６】
例２．第１ＴＦＣＩ情報ビットと第２ＴＦＣＩ情報ビットの比が３：４である場合
第１ＴＦＣＩ情報ビットと第２ＴＦＣＩ情報ビットの比率が３:４である場合、つまり、前記第１ＴＦＣＩ情報ビットの数及び第２ＴＦＣＩ情報ビットの数が５より大きくない場合、前記従来のＨＳＭ方法は、前記第１ＴＦＣＩ情報ビット及び前記第２ＴＦＣＩ情報ビットをそれぞれまたは順次に(１６，５)符号化して伝送する。しかしながら、本発明による符号器が使用される場合、前記第１ＴＦＣＩ情報ビットは、９シンボル、１０シンボル、または１１シンボルに符号化され、前記第２ＴＦＣＩ情報ビットは、１２シンボル、１３シンボル、または１４シンボルに符号化される。本発明による符号器によって符号化された第１ＴＦＣＩ符号化シンボルと第２ＴＦＣＩ符号化シンボルの和は、最大２５になる。前記和が基本符号化シンボルの数である３２より小さい場合、前記シンボルを処理する最も単純な方法は、２１シンボルまはた２４シンボルのみをＤＴＸによって伝送することである。この方法は、最も簡単に伝送できる方法であるが、前記ＤＴＸ区間で他の情報を伝送することができないので、資源浪費の結果になる。さらに、前記符号化シンボルの伝送休止区間のため、前記第１ＴＦＣＩ情報ビット及び第２ＴＦＣＩ情報ビットの符号化性能をもっと高めることができない。
【０１２７】
例２において、第１ＴＦＣＩに優先権を与えて信頼度または性能を高めるか、第２ＴＦＣＩに優先権を与えて信頼度または性能を高めるか、第１ＴＦＣＩ及び第２ＴＦＣＩの両方ともの性能を高めるかによって、符号化方法が変化する。
【０１２８】
前記第１ＴＦＣＩに優先権を与えて信頼度または性能を高める場合、前記第２ＴＦＣＩ情報ビットを(１２,４)符号器、(１３,４)符号器、または(１４,４)符号器を使用して符号化し、第１ＴＦＣＩ情報ビットを(２０,６)符号器、(１９,６)符号器、または(１８,６)符号器を使用して符号化する。さらに、その他に、第１ＴＦＣＩ情報ビットを(９,３)符号器、(１０,３)符号器、または(１１,３)符号器によって符号化した後、前記第１ＴＦＣＩ情報ビットを繰り返して伝送することによって、性能または信頼度を高める方法がある。前記第１ＴＦＣＩ情報ビットを(２０,６)符号器、(１９,６)符号器、または(１８,６)符号器を使用して第１ＴＦＣＩ符号の性能または信頼度を高める方法において、３ビットの実質的な情報ビットを除いた残りの３ビットに０が挿入されて符号化される。前記第１ＴＦＣＩを繰り返した後、前記繰り返された第１ＴＦＣＩ符号化シンボルと前記第２ＴＦＣＩ符号化シンボルとの和が３２を超過することができる。しかしながら、前記１ＴＦＣＩ符号化シンボルと第２ＴＦＣＩ符号化シンボルとの和が３２より大きくなると、前記システムは３ＧＰＰ標準と互換できなくなるので、ハードウェアの複雑度が増加する。逆に、例２のように第１ＴＦＣＩ符号化シンボルと第２ＴＦＣＩ符号化シンボルとの和が３２より小さい場合、前記第１ＴＦＣＩ符号化シンボルと前記第２ＴＦＣＩ情報ビットとの和が１０である場合に比べて、符号選択の制限が低減する。つまり、前記第１ＴＦＣＩ符号化シンボルと前記第２ＴＦＣＩ情報ビットとの和が１０である場合、前記符号化シンボルの和が３２になる符号を選択すべきである。しかしながら、例２において与えられた情報ビットに対して最大の符号率を使用しても前記符号化シンボルの和が３２より小さい場合、前記ＴＦＣＩ情報ビットの符号率は、前記符号化シンボルの和が３２である条件内で性能が改善されるように決定されることができる。
【０１２９】
一方、例２において、第２ＴＦＣＩに優先権を与えて信頼度または性能を高める場合、第１ＴＦＣＩ情報ビットを(９,３)符号器、(１０,３)符号器、または(１１,３)符号器を使用して符号化し、第２ＴＦＣＩ情報ビットを(２３,７)符号器、(２２,７)符号器、または(２１,７)符号器を使用して符号化する。さらに、(１４，４)符号器、(１３，４)符号器、(１２，４)符号器を使用して前記情報ビットを符号化した後、前記符号化ビットを繰り返して伝送することによって、信頼度または性能を高めることができる。前記第２ＴＦＣＩを繰り返した後、前記繰り返された第２ＴＦＣＩ符号化シンボルと前記第１ＴＦＣＩ符号化シンボルの和が３２を超過することができる。しかしながら、前記第１ＴＦＣＩ符号化シンボルと前記第２ＴＦＣＩ符号化シンボルの和が３２を超過する場合、前記システムは３ＧＰＰ標準と互換できなくなる。
【０１３０】
最後に、例２において、第１ＴＦＣＩ及び第２ＴＦＣＩの両方の信頼度または性能を改善する方法は、第１ＴＦＣＩ情報ビットと第２ＴＦＣＩ情報ビットの和が１０になるように前記第１ＴＦＣＩ情報ビット及び前記第２ＴＦＣＩ情報ビットの数を増加させ、前記増加された情報ビットの数に適した符号器を使用する方法である。例えば、第１ＴＦＣＩ情報ビットを(１４,４)符号器、(１３,４)符号器、または(１２,４)符号器によって符号化し、第２ＴＦＣＩ情報ビットを(１８,６)符号器、(１９,６)符号器、または(１８,６)符号器によって符号化して伝送する方法を使用することができる。この方法は、前記第１ＴＦＣＩ情報ビットと前記第２ＴＦＣＩ情報ビットの和が１０を超過しなく、前記符号化シンボルの和が３２を超過しない時のみに使用される。前記符号化シンボルの和が３２を超過する場合は、前述したような問題点が発生する。その他の方法として、前記第１ＴＦＣＩ情報ビットを(９,３)符号器、(１０,３)符号器、または(１１,３)符号器によって符号化し、第２ＴＦＣＩ情報ビットを(１２,４)符号器、(１３,４)符号器、または(１４,４)符号器によって符号化した後、前記符号化シンボルを繰り返して伝送する方法がある。前記繰り返して伝送される符号化シンボルの和は、３２を超過してはいけない。前記第１ＴＦＣＩ情報ビットを符号化する符号器は３種類があり、前記第２ＴＦＣＩ情報ビットを符号化する符号器も３種類がある。前記符号器のうち、最高の性能を有する符号器が選択される。前記符号器によって繰り返されるシンボルの数について、前記選択された符号器のシンボルはより多く繰り返されて伝送される。さらに、前記第１ＴＦＣＩ情報ビット及び前記第２ＴＦＣＩ情報ビットを高い信頼度または性能で伝送することにおいて、符号率を変更する方法及び前記繰り返して伝送する方法を混用することができる。
【０１３１】
例１及び例２に関連して説明した前記ＨＳＭにおける符号選択方法に対する決定基準は、下記のように要約される。
基準１：第１ＴＦＣＩ情報ビットまたは第２ＴＦＣＩ情報ビットの数が５ビットを超過する
- 第１ＴＦＣＩに優先権を与える場合、前記送信器は、第２ＴＦＣＩ符号器を固定した後、第１ＴＦＣＩの符号率を変更して伝送するか、それとも実質的な情報ビットの数を考慮して第１ＴＦＣＩを符号化した後、前記符号化ビットを繰り返して伝送する。
- 第２ＴＦＣＩに優先権を与える場合、前記送信器は、第１ＴＦＣＩ符号器を固定した後、第２ＴＦＣＩの符号率を変更して伝送するか、それとも実質的な情報ビットの数を考慮して第２ＴＦＣＩを符号化した後、前記符号化ビットを繰り返して伝送する。
- 第１ＴＦＣＩ及び第２ＴＦＣＩの両方に優先権を与える場合、前記送信器は、第１ＴＦＣＩ及び第２ＴＦＣＩの符号率を変更するか、それとも第１ＴＦＣＩ及び第２ＴＦＣＩの実質的な情報ビットを考慮することによって符号化を遂行した後、前記符号化ビットを繰り返して伝送する。前記符号率を変更する方法及び前記繰り返して伝送する方法は混用することができる。
【０１３２】
基準２：第１ＴＦＣＩ情報ビットまたは第２ＴＦＣＩ情報ビットの数が５ビットを超過しない
- 前記送信器は、(１６,５)符号器を使用して第１ＴＦＣＩ情報ビット及び第２ＴＦＣＩ情報ビットを符号化して伝送する。
- その他の場合は、基準１と同一である。
【０１３３】
図１２を参照して、＜表５＞の穿孔パターン及び＜表１＞の符号率を使用して、前述した基準に基づいた符号選択方法に関して説明する。
図１２を参照すると、段階１２０１で、第１ＴＦＣＩ(第１情報ビット)及び第２ＴＦＣＩ(第２情報ビット)の伝送必要性が発生する。つまり、ノードＢがＵＥに前記ＤＳＣＨを伝送する必要がある場合、送信器は、前記ＤＳＣＨのためのＴＦＣＩ及び前記ＤＣＨのためのＴＦＣＩを受信する。段階１２０２で、第１情報ビットと第２情報ビットの和が１０であるか否かを検査する。前記第１情報ビットと前記第２情報ビットの和が１０である場合、前記送信器は、段階１２０８で、前記第１情報ビット及び前記第２情報ビットのために使用される符号を決定する。
【０１３４】
前記第１情報ビットと前記第２情報ビットの比が３：７である場合を例に挙げて、段階１２０８の符号選択過程を説明する。この場合、前記第１情報ビットの符号器は、(９,３)符号器、(１０,３)符号器、または(１１,３)符号器であり、前記第２情報ビットの符号器は、(２３,７)符号器、(２２,７)符号器、または(２１,７)符号器である。ここで、前記符号化シンボルの和は３２になるべきである。前記情報ビットの種類によって３種類の符号率を選択する基準は、(１)前記第１情報ビットに優先権を与えて余分の２シンボルを追加する符号率を選択するか、(２)前記第２情報ビットに優先権を与えて余分の２シンボルを追加する符号率を選択するか、(３)前記第１情報ビット及び前記第２情報ビットに余分のシンボルを１つずつ追加する符号率を選択することである。段階１２０８で、前記第１情報ビット及び前記第２情報ビットのために使用される符号率が決定されると、前記送信器は、段階１２０９で、前記決定された符号率で前記第１情報ビット及び第２情報ビットを符号化する。前記送信器は、段階１２１０で、前記符号化された第１ＴＦＣＩ符号化シンボル及び第２ＴＦＣＩ符号化シンボルを多重化する。
【０１３５】
しかしながら、段階１２０２で、前記第１情報ビットと前記第２情報ビットの和が１０より小さいと判断される場合、前記送信器は、段階１２０３で、前記第１情報ビットの数が５を超過するか、または、第２情報ビットの数が５を超過するかを検査する。前記第１情報ビットの数及び前記第２情報ビットの数のいずれかが５を超過すると、前記送信器は段階１２０４に進行する。しかしながら、前記第１情報ビットの数及び前記第２情報ビットの数が両方とも５を超過しない場合、前記送信器は段階１２２１に進行する。段階１２２１で、前記送信器は、前記第１情報ビット及び前記第２情報ビットを(１６,５)符号器を使用して符号化するか否かを判断する。前記送信器は、前記(１６,５)符号器を使用しないと判断する場合、段階１２０６に進行する。逆に、前記(１６,５)符号器を使用すると判断する場合は、段階１２０９に進行する。
【０１３６】
段階１２０４で、前記送信器は、前記第１情報ビットまたは前記第２情報ビットの伝送においてＤＴＸを使用するか否かを検査する。前記送信器は、ＤＴＸを使用すると判断する場合、段階１２０８に進行する。逆に、前記ＤＴＸを使用しないと判断する場合、段階１２０５に進行する。
【０１３７】
前記第１情報ビットと前記第２情報ビットとの比が３：４である場合において、段階１２０８の過程を説明する。この場合、前記第１情報ビットの符号器として、(９,３)符号器、(１０,３)符号器、または(１１,３)符号器のいずれか１つを選択し、前記第２情報ビットの符号器として、(１２,４)符号器、(１３,４)符号器、(１４,４)符号器のいずれか１つを選択する。段階１２０８で、前記第１情報ビット及び前記第２情報ビットの数が両方とも５を超過しない場合に前記ＤＴＸを使用すると、前記符号器の選択に制約はないが、前記符号化シンボルの和が３２を超過してはいけない。
【０１３８】
段階１２０５で、前記送信器は、第１ＴＦＣＩ及び第２ＴＦＣＩの両方の信頼度または性能を高めて伝送するか否かを決定する。前記送信器は、第１ＴＦＣＩ及び第２ＴＦＣＩの両方の性能または信頼度を高めて伝送すると決定する場合、段階１２０７で、前記符号率増加方法、前記反復伝送方法、または前記２つの方法の混用方法のいずれか１つの方法を選択する。段階１２０８で、前記送信器は、段階１２０７で選択された方法によって、第１ＴＦＣＩ及び第２ＴＦＣＩのために使用される符号を決定する。前記送信器は、段階１２０９で、前記選択された方法によって第１ＴＦＣＩ情報ビット及び第２ＴＦＣＩ情報ビットを符号化した後、段階１２１０で、前記第１ＴＦＣＩ符号化シンボル及び前記第２ＴＦＣＩ符号化シンボルを多重化する。例えば、前記送信器は、段階１２０７で、符号率増加方法によって第１ＴＦＣＩ及び第２ＴＦＣＩの性能または信頼度を高めると決定する場合、段階１２０９で、前記符号化した第１ＴＦＣＩ符号化シンボル及び第２ＴＦＣＩ符号化シンボルを段階１２１０で多重化する。前記送信器は、段階１２０７で、反復伝送方法によって第１ＴＦＣＩ及び第２ＴＦＣＩの性能または信頼度を高めて伝送すると決定する場合、段階１２０９で、前記符号化した第１ＴＦＣＩ符号化シンボル及び第２ＴＦＣＩ符号化シンボルを繰り返し、段階１２１０で、多重化する。または、前記送信器は、段階１２１０で、前記段階１２０９で符号化した第１ＴＦＣＩ符号化シンボル及び第２ＴＦＣＩ符号化シンボルを繰り返してから多重化する。
【０１３９】
前記送信器は、段階１２０５で、第１ＴＦＣＩまたは第２ＴＦＣＩの１つのみの信頼度または性能を高めて伝送すると決定する場合、段階１２０６で、第１ＴＦＣＩまたは第２ＴＦＣＩのうち、どちらのＴＦＣＩに優先権を与えるかを決定する。前記送信器は、前記情報ビットの数に関係なく高い信頼度で第１ＴＦＣＩ情報ビットが伝送される場合、第１ＴＦＣＩに優先権を与える。さらに、前記送信器は、前記ＵＥがソフトハンドオーバー地域に位置する時、前記ＤＳＣＨを受信するノードＢ以外のノードＢが前記ＤＳＣＨのための第２ＴＦＣＩ情報ビットを伝送することができない場合に備えて高い信頼度で前記第２ＴＦＣＩ情報ビットを伝送する場合に、前記第２ＴＦＣＩに優先権を与える。さらに、前記送信器は、前記情報ビットの数に関係なく高い信頼度で前記第２ＴＦＣＩ情報ビットを伝送する時に、前記第２ＴＦＣＩに優先権を与える。前記送信器は、段階１２０６で、第１ＴＦＣＩまたは第２ＴＦＣＩの性能または信頼度を高めて伝送すると決定する場合、段階１２０７で、前述した符号率増加方法、反復伝送方法、または前記２つの方法の混用方法を使用して、前記第１ＴＦＣＩまたは第２ＴＦＣＩの性能または信頼度を高めて伝送する方法を決定する。前記送信器は、段階１２０８で、前記段階１２０７で決定された方法によって第１ＴＦＣＩ及び第２ＴＦＣＩのために使用される符号を決定する。前記送信器は、段階１２０９で、前記決定された方法によって第１ＴＦＣＩ情報ビット及び第２ＴＦＣＩ情報ビットを符号化した後、段階１２１０で、前記第１ＴＦＣＩ符号化シンボル及び前記第２ＴＦＣＩ符号化シンボルを多重化する。前記送信器は、段階１２０７で、符号率増加方法によって第１ＴＦＣＩまたは第２ＴＦＣＩの性能または信頼度を高めて伝送すると決定する場合、段階１２０９で符号化した第１ＴＦＣＩ符号化シンボル及び第２ＴＦＣＩ符号化シンボルを段階１２１０で多重化する。前記送信器は、段階１２０７で、反復伝送方法によって第１ＴＦＣＩまたは第２ＴＦＣＩの性能または信頼度を高めて伝送すると決定する場合、段階１２０９で、前記第１ＴＦＣＩ符号化シンボル及び前記第２ＴＦＣＩ符号化シンボルを繰り返した後、段階１２１０で多重化する。または、前記送信器は、段階１２１０で、段階１２０９で符号化した第１ＴＦＣＩ符号化シンボル及び第２ＴＦＣＩ符号化シンボルを繰り返してから多重化する。
【０１４０】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【０１４１】
【発明の効果】
前述してきたように、本発明の実施形態において、１つの符号器／復号器構造を使用して、多様なＴＦＣＩビットを符号化／復号化することができる。さらに、相違する符号化方法を使用して符号化した複数のＴＦＣＩシンボルを時間的に均一に分布されるように多重化して伝送することができる。さらに、ＴＦＣＩ符号化は、入力情報ビットが１０ビットである場合、前記ＤＳＣＨ及び前記ＤＣＨを通して伝送されるデータの種類及び性質によって１：９、２：８、３：７、４：６、５：５、６：４、７：３、８：２、９：１のいずれか１つを選択して遂行されることができるので、シグナリング及び時間遅延の観点で前記ＬＳＭより前記ＨＳＭにおける動作に柔軟性を与えることができる。さらに、前記符号器は、ＤＣＨのためのＴＦＣＩビット及びＤＳＣＨのためのＴＦＣＩビットに対して符号化を遂行した後、前記ＤＣＨのためにＴＦＣＩ符号化シンボル及びＤＳＣＨのためのＴＦＣＩ符号化シンボルを貯蔵装置に貯蔵することによって、迅速な情報処理を可能にする。
【図面の簡単な説明】
【図１】  従来の硬分割モード(ＨＳＭ)による送信器の構造を示す図である。
【図２】  本発明の実施形態によるノードＢ送信器の構造を示す図である。
【図３】  本発明の実施形態によるノードＢ送信器の他の構造を示す図である。
【図４】  図２及び図３に示す符号器の詳細な構造を示す図である。
【図５】  ノードＢからＵＥまで伝送されるダウンリンクラジオフレームの構造を示す図である。
【図６】  図２に示すシンボル配置器の詳細な構造を示す図である。
【図７】  図３に示す選別出力器の詳細な構造を示す図である。
【図８】  図３に示すシンボル配置器の詳細な構造を示す図である。
【図９】  本発明の実施形態によるＵＥ受信器の構造を示す図である。
【図１０】  本発明の他の実施形態によるＵＥ受信器の他の構造を示す図である。
【図１１】  図１０に示す受信器に使用される復号器の詳細な構造を示す図である。
【図１２】  本発明の実施形態による第１ＴＦＣＩ及び第２ＴＦＣＩのために使用される符号を選択する方法を示す図である。
【図１３】  本発明の実施形態による符号器とシンボル配置器との他の関係を示す図である。
【図１４】  本発明の実施形態による符号器とシンボル配置器とのまた他の関係を示す図である。
【図１５】  本発明の実施形態による符号器とシンボル配置器とのまた他の関係を示す図である。
【図１６】  本発明の実施形態による符号化動作を示す図である。
【図１７】  本発明の実施形態による復号化動作を示す図である。
【図１８Ａ】  本発明の実施形態によるシンボル配置器の詳細な構造を示す図である。
【図１８Ｂ】  本発明の実施形態によるシンボル配置器の詳細な他の構造を示す図である。
【図１９】  本発明の実施形態による符号化シンボル配置器の構造を示す図である。
【符号の説明】
２００    第1符号器
２０５    第2符合器
２５０    第1ＴＦＣＩビット発生器
２５５    第2ＴＦＣＩビット発生器
３０１    第2ＴＦＣＩビット発生器
３０３    第1ＴＦＣＩビット発生器
３１０    選別出力器
３１１    符号器
３３０    制御器
７１３    貯蔵装置
４００    ウォルシュ符号生成器
４０４    マスク生成器
４１０・４１２・４１４・４１６・４１８・４２０・４２２・４２４・４２６・４２８    乗算器
４４０    排他的加算器
４５０    制御器
４６０    穿孔器
【図１】
0003730195.tif 000017
【図２】
0003730195.tif 000018
【図３】
0003730195.tif 000019
【図４】
0003730195.tif 000020
【図５】
0003730195.tif 000021
【図６】
0003730195.tif 000022
【図７】
0003730195.tif 000023
【図８】
0003730195.tif 000024
【図９】
0003730195.tif 000025
【図１０】
0003730195.tif 000026
【図１１】
0003730195.tif 000027
【図１２】
0003730195.tif 000028
【図１３】
0003730195.tif 000029
【図１４】
0003730195.tif 000030
【図１５】
0003730195.tif 000031
【図１６】
0003730195.tif 000032
【図１７】
0003730195.tif 000033
【図１８Ａ】
0003730195.tif 000034
【図１８Ｂ】
0003730195.tif 000035
【図１９】
0003730195.tif 000036